(57)【特許請求の範囲】
【請求項１】
基地局に応用されるダウンリンクチャネル伝送方法において、
グループ共通物理ダウンリンク制御チャネルの送信周期を明示的または暗黙的な方式で指示することを含み、
グループ共通物理ダウンリンク制御チャネルの送信周期を明示的な方式で指示することは、
端末に対応するグループ共通物理ダウンリンク制御チャネルの送信周期を、対応する端末にハイレイヤシグナリングで通知することを含み、
前記方法は、
グループ共通物理ダウンリンク制御チャネル送信の開始スロット位置を、プロトコルで特定することと、
前記グループ共通物理ダウンリンク制御チャネルの送信周期と開始スロット位置に基づいて、送信スロットを特定することと、
グループ共通物理ダウンリンク制御チャネルを前記送信スロットで送信することと、をさらに含み、
または、
端末に対応するグループ共通物理ダウンリンク制御チャネル送信のオフセット値を、対応する端末にハイレイヤシグナリングで通知することと、  前記グループ共通物理ダウンリンク制御チャネルの送信周期とオフセット値に基づいて、送信スロットを特定することと、
グループ共通物理ダウンリンク制御チャネルを前記送信スロットで送信することとをさらに含む、ダウンリンクチャネル伝送方法。
【請求項２】
グループ共通物理ダウンリンク制御チャネルの送信周期を暗黙的な方式で指示することは、
グループ共通物理ダウンリンク制御チャネルの送信周期を、プロトコルで特定することを含む、請求項１に記載の方法。
【請求項３】
グループ共通物理ダウンリンク制御チャネル送信の開始スロット位置を、プロトコルで特定することをさらに含み、
グループ共通物理ダウンリンク制御チャネル送信の開始スロット位置を、プロトコルで特定した後に、
前記プロトコルで特定されるグループ共通物理ダウンリンク制御チャネルの送信周期と開始スロット位置に基づいて、送信スロットを特定することと、
グループ共通物理ダウンリンク制御チャネルを前記送信スロットで送信することとをさらに含む、請求項２に記載の方法。
【請求項４】
基地局に応用されるダウンリンクチャネル伝送装置において、
グループ共通物理ダウンリンク制御チャネルの送信周期を明示的または暗黙的な方式で指示する指示モジュールを含み、
前記指示モジュールは、
端末に対応するグループ共通物理ダウンリンク制御チャネルの送信周期を、対応する端末にハイレイヤシグナリングで通知する第２通知ユニットを含み、
前記ダウンリンクチャネル伝送装置は、さらに、
グループ共通物理ダウンリンク制御チャネル送信の開始スロット位置を、プロトコルで特定する第１特定モジュールと、
グループ共通物理ダウンリンク制御チャネル送信の開始スロット位置を、プロトコルで特定した後に、前記グループ共通物理ダウンリンク制御チャネルの送信周期と開始スロット位置に基づいて、送信スロットを特定する第４特定モジュールと、
グループ共通物理ダウンリンク制御チャネルを前記送信スロットで送信する送信モジュールとを含み、
または、
端末に対応するグループ共通物理ダウンリンク制御チャネル送信のオフセット値を、対応する端末にハイレイヤシグナリングで通知する第２通知モジュールと、
端末に対応するグループ共通物理ダウンリンク制御チャネル送信のオフセット値を、対応する端末にハイレイヤシグナリングで通知した後に、前記グループ共通物理ダウンリンク制御チャネルの送信周期とオフセット値に基づいて、送信スロットを特定する第４特定モジュールと、
グループ共通物理ダウンリンク制御チャネルを前記送信スロットで送信する送信モジュールとを含む、ダウンリンクチャネル伝送装置。
【請求項５】
第１メモリ、第１プロセッサ、および第１メモリに記憶されて第１プロセッサで実行可能なコンピュータプログラムを含む基地局において、
前記第１プロセッサが前記コンピュータプログラムを実行することで、請求項１〜４のいずれか一項に記載のダウンリンクチャネル伝送方法のステップが実現される、基地局。
【請求項６】
端末に応用されるダウンリンクチャネル受信方法において、
グループ共通物理ダウンリンク制御チャネルの送信周期を明示的または暗黙的な方式で特定することを含み、
グループ共通物理ダウンリンク制御チャネルの送信周期を明示的な方式で特定することは、
グループ共通物理ダウンリンク制御チャネルの送信周期を、基地局から送信されるハイレイヤシグナリングで特定することを含み、
前記方法は、さらに
グループ共通物理ダウンリンク制御チャネル送信の開始スロット位置を、プロトコルで特定することと、
前記グループ共通物理ダウンリンク制御チャネルの送信周期と開始スロット位置に基づいて、グループ共通物理ダウンリンク制御チャネルの受信スロットを特定することと、
グループ共通物理ダウンリンク制御チャネルを前記受信スロットで検出して受信することとを含み、
または、
グループ共通物理ダウンリンク制御チャネル送信のオフセット値を、基地局から送信されるハイレイヤシグナリングで特定することと、
前記グループ共通物理ダウンリンク制御チャネルの送信周期とオフセット値に基づいて、グループ共通物理ダウンリンク制御チャネルの受信スロットを特定することと、
グループ共通物理ダウンリンク制御チャネルを前記受信スロットで検出して受信することとを含む、ダウンリンクチャネル受信方法。
【請求項７】
グループ共通物理ダウンリンク制御チャネルの送信周期を暗黙的な方式で特定することは、
グループ共通物理ダウンリンク制御チャネルの送信周期を、プロトコルで特定することを含む、請求項６に記載の方法。
【請求項８】
グループ共通物理ダウンリンク制御チャネル送信の開始スロット位置を、プロトコルで特定することをさらに含み、
グループ共通物理ダウンリンク制御チャネル送信の開始スロット位置を、プロトコルで特定した後に、
前記プロトコルで特定されるグループ共通物理ダウンリンク制御チャネルの送信周期と開始スロット位置に基づいて、グループ共通物理ダウンリンク制御チャネルの受信スロットを特定することと、
グループ共通物理ダウンリンク制御チャネルを前記受信スロットで検出して受信することとをさらに含む、請求項７に記載の方法。
【請求項９】
グループ共通物理ダウンリンク制御チャネルの送信周期を特定した後に、
グループ共通物理ダウンリンク制御チャネルの送信周期に基づいて、グループ共通物理ダウンリンク制御チャネルのデータ発効時間を特定することをさらに含み、
グループ共通物理ダウンリンク制御チャネルの送信周期に基づいて、グループ共通物理ダウンリンク制御チャネルのデータ発効時間を特定することは、
受信した第１グループ共通物理ダウンリンク制御チャネルの位置するスロットから１つの前記送信周期が経過するまでの時間を、前記第１グループ共通物理ダウンリンク制御チャネルのデータ発効時間として特定すること、または、
受信した第１グループ共通物理ダウンリンク制御チャネルの位置するスロットから、次に第２グループ共通物理ダウンリンク制御チャネルを受信するまでに経過する時間を、前記第１グループ共通物理ダウンリンク制御チャネルのデータ発効時間として特定すること、または、
受信した第１グループ共通物理ダウンリンク制御チャネルの位置するスロットから、グループ共通物理ダウンリンク制御チャネル変更指令を基地局から受信するまでに経過する時間を、前記第１グループ共通物理ダウンリンク制御チャネルのデータ発効時間として特定することを含む、請求項６に記載の方法。
【請求項１０】
端末に応用されるダウンリンクチャネル受信装置において、
グループ共通物理ダウンリンク制御チャネルの送信周期を明示的または暗黙的な方式で特定する第５特定モジュールを含み、
前記第５特定モジュールは、
グループ共通物理ダウンリンク制御チャネルの送信周期を、基地局から送信されるハイレイヤシグナリングで特定する第４特定ユニットを含み、
前記ダウンリンクチャネル受信装置は、さらに
グループ共通物理ダウンリンク制御チャネル送信の開始スロット位置を、プロトコルで特定する第６特定モジュールと、
グループ共通物理ダウンリンク制御チャネル送信の開始スロット位置を、プロトコルで特定した後に、前記グループ共通物理ダウンリンク制御チャネルの送信周期と開始スロット位置に基づいて、グループ共通物理ダウンリンク制御チャネルの受信スロットを特定する第１１特定モジュールと、
グループ共通物理ダウンリンク制御チャネルを前記受信スロットで検出して受信する受信モジュールとを含み、
または、
グループ共通物理ダウンリンク制御チャネル送信のオフセット値を、基地局から送信されるハイレイヤシグナリングで特定する第１０特定モジュールと、
グループ共通物理ダウンリンク制御チャネル送信のオフセット値を、基地局から送信されるハイレイヤシグナリングで特定した後に、前記グループ共通物理ダウンリンク制御チャネルの送信周期とオフセット値に基づいて、グループ共通物理ダウンリンク制御チャネルの受信スロットを特定する第１１特定モジュールと、
グループ共通物理ダウンリンク制御チャネルを前記受信スロットで検出して受信する受信モジュールとを含む、ダウンリンクチャネル受信装置。
【請求項１１】
第２メモリ、第２プロセッサ、および第２メモリに記憶されて第２プロセッサで実行可能なコンピュータプログラムを含む端末において、
前記第２プロセッサが前記コンピュータプログラムを実行することで、請求項６〜９のいずれか一項に記載のダウンリンクチャネル受信方法のステップが実現される、端末。
【発明の詳細な説明】
【技術分野】
【０００１】
本願は、２０１７年５月２日に中国特許庁に提出された中国特許出願２０１７１０３０１３３３．１の優先権を主張し、その全ての内容が援用によりここに取り込まれる。
本開示は、通信分野に係り、特にダウンリンクチャネル伝送および受信方法、装置、基地局および端末に係る。
【背景技術】
【０００２】
移動インターネットは、従来の移動通信サービス方式を覆し、今までにない使用体験をユーザに提供し、人々の仕事や生活のさまざまな方面に大きく影響する。移動インターネットの更なる発展によって、将来、移動トラフィックの増加が千倍を超え、移動通信技術および産業の新たな改革を推し進める。一方、モノのインターネットは、人と人の通信から、人とモノ、モノとモノのスマートな相互接続まで延伸するように、移動通信のサービス範囲を拡張させ、移動通信技術をより広い業界と分野に浸透させる。同時に、超大量の機器接続および多様化するモノのインターネットサービスのために、移動通信は、新規技術に挑むことになる。
【０００３】
新しいサービスリクエストが次々と現れて多様化するにつれて、将来の移動通信システムに対し、より高いピークレート、より優れるユーザ体験レート、より小さい遅延、より高い信頼性、より高いスペクトル効率、より高いエネルギー効率など、より高い性能が求められ、より多くのユーザのアクセスおよび各種類のサービスの使用をサポートすることが必要とされる。巨大量でさまざまな端末接続および異なる種類のサービスをサポートするために、アップリンク／ダウンリンクリソースの柔軟な構成は、技術発展の大きな傾向になっている。将来のシステムリソースは、サービスに応じて異なるサブバンドに区分され、多種類のサービスリクエストを満たすには、サブバンドで異なる長さのＴＴＩ（Ｔｒａｎｓｍｉｓｓｉｏｎ  Ｔｉｍｅ  Ｉｎｔｅｒｖａｌ）が区分される。
【０００４】
関連のＬＴＥ（登録商標）  ＦＤＤシステムでＦＳ１（ｆｒａｍｅ  ｓｔｒｕｃｔｕｒｅ  ｔｙｐｅ  １）が用いられる。ＦＤＤシステムのアップリンク／ダウンリンク伝送において、搬送波周波数が異なるものの、同一のフレーム構造が使用される。各搬送波では、長さ１０ｍｓの１つの無線フレームに１０個の１ｍｓのサブフレームが含まれ、各サブフレームが長さ０．５ｍｓの２つのスロット（ｔｉｍｅ  ｓｌｏｔ）に分けられる。アップリンク／ダウンリンクデータ送信のＴＴＩの長さは、１ｍｓである。
【０００５】
関連のＬＴＥ  ＴＤＤシステムでＦＳ２（ｆｒａｍｅ  ｓｔｒｕｃｔｕｒｅ  ｔｙｐｅ  ２）が用いられる。ＴＤＤシステムのアップリンク／ダウンリンク伝送において、同一周波数の異なるサブフレームまたは異なるスロットが使用される。ＦＳ２で１０ｍｓの各無線フレームが２つの５ｍｓのハーフフレームからなり、各ハーフフレームに５個の長さ１ｍｓのサブフレームが含まれる。ＦＳ２のサブフレームは、ダウンリンクサブフレーム、アップリンクサブフレームおよびスペシャルサブフレームの３種類に分けられる。各ハーフフレームに少なくとも１つのダウンリンクサブフレーム、少なくとも１つのアップリンクサブフレームおよび最多で１つのスペシャルサブフレームを含む。
【０００６】
ＬＴＥシステムのＰＤＣＣＨ（ｐｈｙｓｉｃａｌ  ｄｏｗｎｌｉｎｋ  ｃｏｎｔｒｏｌ  ｃｈａｎｎｅｌ）は、スケジューリング情報およびほかの制御情報を運ぶ。各ダウンリンクサブフレームの制御エリアに複数のＰＤＣＣＨを有し、制御エリアのサイズは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって決められる。１つの制御チャネルの伝送は、１つのＣＣＥ（ｃｏｎｔｒｏｌ  ｃｈａｎｎｅｌ  ｅｌｅｍｅｎｔ）または複数の連続するＣＣＥを占用し、各ＣＣＥが９つのＲＥＧ（ｒｅｓｏｕｒｃｅ  ｅｌｅｍｅｎｔ  ｇｒｏｕｐ）からなる。ＵＥは、ｎｏｎ−ＤＲＸサブフレームでＰＤＣＣＨ  ｃａｎｄｉｄａｔｅセットをモニタリングし、すなわち、モニタリングすべきＤＣＩ（Ｄｏｗｎｌｉｎｋ  Ｃｏｎｔｒｏｌ  Ｉｎｆｏｒｍａｔｉｏｎ）  ｆｏｒｍａｔに基づいて、検索空間における各ＰＤＣＣＨの復号を試みる。
【０００７】
ＰＤＣＣＨの容量を拡張させるには、Ｒｅｌ−１１においてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）が導入されている。ＥＰＤＣＣＨは、サブフレームのデータエリアで伝送され、ＰＤＣＣＨの伝送空間を占用できない。ＥＰＤＣＣＨが構成された端末は、各サブフレームで構成されたＰＲＢ（Ｐｈｙｓｉｃａｌ  Ｒｅｓｏｕｒｃｅ  Ｂｌｏｃｋ）  ｓｅｔ内でＥＰＤＣＣＨを検出して受信する。
【０００８】
関連のＬＴＥシステムにおいて、ＴＴＩの長さは、１ｍｓに一定にされ、かつ１つまたは複数のＰＤＣＣＨは、各ＴＴＩの前からＮ個のＯＦＤＭシンボルで伝送され、または、データエリアのＰＲＢ  ｐａｉｒで伝送され、または、複数の連続／非連続のサブフレームで伝送され、ＵＥは、所望の情報に基づいて、ＣＳＳ（Ｃｏｍｍｏｎ  Ｓｅａｒｃｈ  Ｓｐａｃｅ）またはＵＳＳ（ＵＥ  ｓｐｅｃｉｆｉｃ  Ｓｅａｒｃｈ    Ｓｐａｃｅ）で自身のＰＤＣＣＨのブラインド検出を行う。将来の移動通信システムにおいて、端末群の関連情報をスケジューリングまたは通知するグループ共通物理ダウンリンク制御チャネル（ｇｒｏｕｐ  ｃｏｍｍｏｎ  ＰＤＣＣＨ）の導入が必要される。しかし、現在、端末群の関連情報をスケジューリングまたは通知するｇｒｏｕｐ  ｃｏｍｍｏｎ  ＰＤＣＣＨの伝送について明確な解決策がないため、ＵＥがどのようにｇｒｏｕｐ  ｃｏｍｍｏｎ  ＰＤＣＣＨを受信したらいいかわからない。この問題は、早急に解決されなければならない。
【発明の概要】
【発明が解決しようとする課題】
【０００９】
関連技術において、端末群の関連情報をスケジューリングまたは通知するｇｒｏｕｐ  ｃｏｍｍｏｎ  ＰＤＣＣＨの伝送について明確な解決策がないため、ＵＥがどのようにｇｒｏｕｐ  ｃｏｍｍｏｎ  ＰＤＣＣＨを受信したらいいかわからないという問題を解決するために、本開示の実施例は、ダウンリンクチャネル伝送および受信方法、装置、基地局および端末を提供する。
【課題を解決するための手段】
【００１０】
本開示の実施例は、基地局に応用されるダウンリンクチャネル伝送方法を提供する。当該方法において、ｇｒｏｕｐ  ｃｏｍｍｏｎ  ＰＤＣＣＨの送信周期を明示的または暗黙的な方式で指示することを含む。
【００１１】
ここで、ｇｒｏｕｐ  ｃｏｍｍｏｎ  ＰＤＣＣＨの送信周期を暗黙的な方式で指示することは、ｇｒｏｕｐ  ｃｏｍｍｏｎ  ＰＤＣＣＨの送信周期を、プロトコルで特定することを含む。
【００１２】
ここで、前記方法は、ｇｒｏｕｐ  ｃｏｍｍｏｎ  ＰＤＣＣＨ送信の開始スロット位置を、プロトコルで特定することをさらに含む。
【００１３】
ここで、ｇｒｏｕｐ  ｃｏｍｍｏｎ  ＰＤＣＣＨ送信の開始スロット位置を、プロトコルで特定した後に、前記プロトコルで特定されるｇｒｏｕｐ  ｃｏｍｍｏｎ  ＰＤＣＣＨの送信周期と開始スロット位置に基づいて、送信スロットを特定することと、ｇｒｏｕｐ  ｃｏｍｍｏｎ  ＰＤＣＣＨを前記送信スロットで送信することとをさらに含む。
【００１４】
ここで、ｇｒｏｕｐ  ｃｏｍｍｏｎ  ＰＤＣＣＨの送信周期を明示的な方式で指示することは、ｇｒｏｕｐ  ｃｏｍｍｏｎ  ＰＤＣＣＨの送信周期を、前記基地局のカバレッジ内のすべての端末にブロードキャストシグナリングで通知することを含む。
【００１５】
ここで、前記方法において、ｇｒｏｕｐ  ｃｏｍｍｏｎ  ＰＤＣＣＨ送信の開始スロット位置を、プロトコルで特定すること、または、ｇｒｏｕｐ  ｃｏｍｍｏｎ  ＰＤＣＣＨ送信の開始スロット位置を、前記基地局のカバレッジ内のすべての端末にブロードキャストシグナリングで通知することをさらに含む。
【００１６】
ここで、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を前記基地局のカバレッジ内のすべての端末にブロードキャストシグナリングで通知した後に、前記ｇｒｏｕｐ  ｃｏｍｍｏｎ  ＰＤＣＣＨの送信周期と開始スロット位置に基づいて、送信スロットを特定することと、ｇｒｏｕｐ  ｃｏｍｍｏｎ  ＰＤＣＣＨを前記送信スロットで送信することとをさらに含む。
【００１７】
ここで、ｇｒｏｕｐ  ｃｏｍｍｏｎ  ＰＤＣＣＨの送信周期を明示的な方式で指示することは、端末に対応するｇｒｏｕｐ  ｃｏｍｍｏｎ  ＰＤＣＣＨの送信周期を、対応する端末にハイレイヤシグナリングで通知することを含む。
【００１８】
ここで、前記方法は、ｇｒｏｕｐ  ｃｏｍｍｏｎ  ＰＤＣＣＨ送信の開始スロット位置を、プロトコルで特定すること、または、端末に対応するｇｒｏｕｐ  ｃｏｍｍｏｎ  ＰＤＣＣＨ送信のオフセット値を、対応する端末にハイレイヤシグナリングで通知することをさらに含む。
【００１９】
ここで、ｇｒｏｕｐ  ｃｏｍｍｏｎ  ＰＤＣＣＨ送信の開始スロット位置を、プロトコルで特定した後に、前記ｇｒｏｕｐ  ｃｏｍｍｏｎ  ＰＤＣＣＨの送信周期と開始スロット位置に基づいて、送信スロットを特定することと、ｇｒｏｕｐ  ｃｏｍｍｏｎ  ＰＤＣＣＨを前記送信スロットで送信することとをさらに含む。または、端末に対応するｇｒｏｕｐ  ｃｏｍｍｏｎ  ＰＤＣＣＨ送信のオフセット値を、対応する端末にハイレイヤシグナリングで通知した後に、前記ｇｒｏｕｐ  ｃｏｍｍｏｎ  ＰＤＣＣＨの送信周期とオフセット値に基づいて、送信スロットを特定することと、ｇｒｏｕｐ  ｃｏｍｍｏｎ  ＰＤＣＣＨを前記送信スロットで送信することとをさらに含む。
【００２０】
ここで、ｇｒｏｕｐ  ｃｏｍｍｏｎ  ＰＤＣＣＨを前記送信スロットで送信することは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信することを含む。
【００２１】
本開示の実施例は、基地局に応用されるダウンリンクチャネル伝送装置をさらに提供する。前記装置は、ｇｒｏｕｐ  ｃｏｍｍｏｎ  ＰＤＣＣＨの送信周期を明示的または暗黙的な方式で指示する指示モジュールを含む。
【００２２】
ここで、前記指示モジュールは、ｇｒｏｕｐ  ｃｏｍｍｏｎ  ＰＤＣＣＨの送信周期を、プロトコルで特定する第１特定ユニットを含む。
【００２３】
ここで、前記装置は、ｇｒｏｕｐ  ｃｏｍｍｏｎ  ＰＤＣＣＨ送信の開始スロット位置を、プロトコルで特定する第１特定モジュールをさらに含む。
【００２４】
ここで、前記装置は、ｇｒｏｕｐ  ｃｏｍｍｏｎ  ＰＤＣＣＨ送信の開始スロット位置をプロトコルで特定した後に、前記プロトコルで特定されるｇｒｏｕｐ  ｃｏｍｍｏｎ  ＰＤＣＣＨの送信周期と開始スロット位置に基づいて、送信スロットを特定する第２特定モジュールと、ｇｒｏｕｐ  ｃｏｍｍｏｎ  ＰＤＣＣＨを前記送信スロットで送信する送信モジュールとをさらに含む。
【００２５】
ここで、前記指示モジュールは、ｇｒｏｕｐ  ｃｏｍｍｏｎ  ＰＤＣＣＨの送信周期を、前記基地局のカバレッジ内のすべての端末にブロードキャストシグナリングで通知する第１通知ユニットを含む。
【００２６】
ここで、前記装置は、ｇｒｏｕｐ  ｃｏｍｍｏｎ  ＰＤＣＣＨ送信の開始スロット位置を、プロトコルで特定する第１特定モジュール、または、ｇｒｏｕｐ  ｃｏｍｍｏｎ  ＰＤＣＣＨ送信の開始スロット位置を、前記基地局のカバレッジ内のすべての端末にブロードキャストシグナリングで通知する第１通知モジュールをさらに含む。
【００２７】
ここで、前記装置は、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を前記基地局のカバレッジ内のすべての端末にブロードキャストシグナリングで通知した後に、前記ｇｒｏｕｐ  ｃｏｍｍｏｎ  ＰＤＣＣＨの送信周期と開始スロット位置に基づいて、送信スロットを特定する第３特定モジュールと、ｇｒｏｕｐ  ｃｏｍｍｏｎ  ＰＤＣＣＨを前記送信スロットで送信する送信モジュールとをさらに含む。
【００２８】
ここで、前記指示モジュールは、端末に対応するｇｒｏｕｐ  ｃｏｍｍｏｎ  ＰＤＣＣＨの送信周期を、対応する端末にハイレイヤシグナリングで通知する第２通知ユニットを含む。
【００２９】
ここで、前記装置は、ｇｒｏｕｐ  ｃｏｍｍｏｎ  ＰＤＣＣＨ送信の開始スロット位置を、プロトコルで特定する第１特定モジュール、または、端末に対応するｇｒｏｕｐ  ｃｏｍｍｏｎ  ＰＤＣＣＨ送信のオフセット値を、対応する端末にハイレイヤシグナリングで通知する第２通知モジュールをさらに含む。
【００３０】
ここで、前記装置は、ｇｒｏｕｐ  ｃｏｍｍｏｎ  ＰＤＣＣＨ送信の開始スロット位置をプロトコルで特定した後に、前記ｇｒｏｕｐ  ｃｏｍｍｏｎ  ＰＤＣＣＨの送信周期と開始スロット位置に基づいて送信スロットを特定し、または、端末に対応するｇｒｏｕｐ  ｃｏｍｍｏｎ  ＰＤＣＣＨ送信のオフセット値を、対応する端末にハイレイヤシグナリングで通知した後に、前記ｇｒｏｕｐ  ｃｏｍｍｏｎ  ＰＤＣＣＨの送信周期とオフセット値に基づいて送信スロットを特定する第４特定モジュールと、ｇｒｏｕｐ  ｃｏｍｍｏｎ  ＰＤＣＣＨを前記送信スロットで送信する送信モジュールとをさらに含む。
【００３１】
ここで、前記送信モジュールは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信する送信ユニットを含む。
【００３２】
本開示の実施例は、第１メモリ、第１プロセッサ、および第１メモリに記憶されて第１プロセッサで実行可能なコンピュータプログラムを含む基地局をさらに提供する。前記第１プロセッサが前記コンピュータプログラムを実行すると、上記の基地局に応用されるダウンリンクチャネル伝送方法のステップが実現される。
【００３３】
本開示の実施例は、端末に応用されるダウンリンクチャネル受信方法をさらに提供する。前記方法は、ｇｒｏｕｐ  ｃｏｍｍｏｎ  ＰＤＣＣＨの送信周期を明示的または暗黙的な方式で特定することを含む。
【００３４】
ここで、ｇｒｏｕｐ  ｃｏｍｍｏｎ  ＰＤＣＣＨの送信周期を暗黙的な方式で特定することは、ｇｒｏｕｐ  ｃｏｍｍｏｎ  ＰＤＣＣＨの送信周期を、プロトコルで特定することを含む。
【００３５】
ここで、前記方法は、ｇｒｏｕｐ  ｃｏｍｍｏｎ  ＰＤＣＣＨ送信の開始スロット位置を、プロトコルで特定することをさらに含む。
【００３６】
ここで、ｇｒｏｕｐ  ｃｏｍｍｏｎ  ＰＤＣＣＨ送信の開始スロット位置を、プロトコルで特定した後に、前記プロトコルで特定されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【００３７】
ここで、ｇｒｏｕｐ  ｃｏｍｍｏｎ  ＰＤＣＣＨの送信周期を明示的な方式で特定することは、ｇｒｏｕｐ  ｃｏｍｍｏｎ  ＰＤＣＣＨの送信周期を、基地局から送信されるブロードキャストシグナリングで特定することを含む。
【００３８】
ここで、前記方法は、ｇｒｏｕｐ  ｃｏｍｍｏｎ  ＰＤＣＣＨ送信の開始スロット位置を、プロトコルで特定すること、または、ｇｒｏｕｐ  ｃｏｍｍｏｎ  ＰＤＣＣＨ送信の開始スロット位置を、基地局から送信されるブロードキャストシグナリングで特定することをさらに含む。
【００３９】
ここで、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を、基地局から送信されるブロードキャストシグナリングで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【００４０】
ここで、ｇｒｏｕｐ  ｃｏｍｍｏｎ  ＰＤＣＣＨの送信周期を明示的な方式で特定することは、ｇｒｏｕｐ  ｃｏｍｍｏｎ  ＰＤＣＣＨの送信周期を、基地局から送信されるハイレイヤシグナリングで特定することを含む。
【００４１】
ここで、前記方法は、ｇｒｏｕｐ  ｃｏｍｍｏｎ  ＰＤＣＣＨ送信の開始スロット位置を、プロトコルで特定すること、または、ｇｒｏｕｐ  ｃｏｍｍｏｎ  ＰＤＣＣＨ送信のオフセット値を、基地局から送信されるハイレイヤシグナリングで特定することをさらに含む。
【００４２】
ここで、ｇｒｏｕｐ  ｃｏｍｍｏｎ  ＰＤＣＣＨ送信の開始スロット位置を、プロトコルで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。または、ｇｒｏｕｐ  ｃｏｍｍｏｎ  ＰＤＣＣＨ送信のオフセット値を、基地局から送信されるハイレイヤシグナリングで特定した後に、前記ｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【００４３】
ここで、ｇｒｏｕｐ  ｃｏｍｍｏｎ  ＰＤＣＣＨを前記受信スロットで検出して受信することは、第１受信スロットがフルアップリンクスロットであれば、前記第１受信スロットの後であって前記第１受信スロットに最も近いダウンリンク受信スロットでｇｒｏｕｐ  ｃｏｍｍｏｎ  ＰＤＣＣＨを検出して受信することを含む。
【００４４】
ここで、ｇｒｏｕｐ  ｃｏｍｍｏｎ  ＰＤＣＣＨの送信周期を特定した後に、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定することをさらに含む。
【００４５】
ここで、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定することは、受信した第１ｇｒｏｕｐ  ｃｏｍｍｏｎ  ＰＤＣＣＨの位置するスロットから１つの前記送信周期が経過するまでの時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定することを含む。
【００４６】
本開示の実施例は、端末に応用されるダウンリンクチャネル受信装置を提供する。前記装置は、ｇｒｏｕｐ  ｃｏｍｍｏｎ  ＰＤＣＣＨの送信周期を明示的または暗黙的な方式で特定する第５特定モジュールを含む。
【００４７】
ここで、前記第５特定モジュールは、ｇｒｏｕｐ  ｃｏｍｍｏｎ  ＰＤＣＣＨの送信周期を、プロトコルで特定する第２特定ユニットを含む。
【００４８】
ここで、前記装置は、ｇｒｏｕｐ  ｃｏｍｍｏｎ  ＰＤＣＣＨ送信の開始スロット位置を、プロトコルで特定する第６特定モジュールをさらに含む。
【００４９】
ここで、前記装置は、ｇｒｏｕｐ  ｃｏｍｍｏｎ  ＰＤＣＣＨ送信の開始スロット位置をプロトコルで特定した後に、前記プロトコルで特定されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定する第７特定モジュールと、ｇｒｏｕｐ  ｃｏｍｍｏｎ  ＰＤＣＣＨを前記受信スロットで検出して受信する受信モジュールとをさらに含む。
【００５０】
ここで、前記第５特定モジュールは、ｇｒｏｕｐ  ｃｏｍｍｏｎ  ＰＤＣＣＨの送信周期を、基地局から送信されるブロードキャストシグナリングで特定する第３特定ユニットを含む。
【００５１】
ここで、前記装置は、ｇｒｏｕｐ  ｃｏｍｍｏｎ  ＰＤＣＣＨ送信の開始スロット位置を、プロトコルで特定する第６特定モジュール、または、ｇｒｏｕｐ  ｃｏｍｍｏｎ  ＰＤＣＣＨ送信の開始スロット位置を、基地局から送信されるブロードキャストシグナリングで特定する第８特定モジュールをさらに含む。
【００５２】
ここで、前記装置は、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を、基地局から送信されるブロードキャストシグナリングで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定する第９特定モジュールと、ｇｒｏｕｐ  ｃｏｍｍｏｎ  ＰＤＣＣＨを前記受信スロットで検出して受信する受信モジュールとをさらに含む。
【００５３】
ここで、前記第５特定モジュールは、ｇｒｏｕｐ  ｃｏｍｍｏｎ  ＰＤＣＣＨの送信周期を、基地局から送信されるハイレイヤシグナリングで特定する第４特定ユニットを含む。
【００５４】
ここで、前記装置は、ｇｒｏｕｐ  ｃｏｍｍｏｎ  ＰＤＣＣＨ送信の開始スロット位置を、プロトコルで特定する第６特定モジュール、または、ｇｒｏｕｐ  ｃｏｍｍｏｎ  ＰＤＣＣＨ送信のオフセット値を、基地局から送信されるハイレイヤシグナリングで特定する第１０特定モジュールをさらに含む。
【００５５】
ここで、前記装置は、ｇｒｏｕｐ  ｃｏｍｍｏｎ  ＰＤＣＣＨ送信の開始スロット位置をプロトコルで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定し、または、ｇｒｏｕｐ  ｃｏｍｍｏｎ  ＰＤＣＣＨ送信のオフセット値を、基地局から送信されるハイレイヤシグナリングで特定した後に、前記ｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを特定する第１１特定モジュールと、ｇｒｏｕｐ  ｃｏｍｍｏｎ  ＰＤＣＣＨを前記受信スロットで検出して受信する受信モジュールとをさらに含む。
【００５６】
ここで、前記受信モジュールは、第１受信スロットがフルアップリンクスロットであれば、前記第１受信スロットの後であって前記第１受信スロットに最も近いダウンリンク受信スロットでｇｒｏｕｐ  ｃｏｍｍｏｎ  ＰＤＣＣＨを検出して受信する受信ユニットを含む。
【００５７】
ここで、前記装置は、ｇｒｏｕｐ  ｃｏｍｍｏｎ  ＰＤＣＣＨの送信周期を特定した後に、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定する第１２特定モジュールをさらに含む。
【００５８】
ここで、前記第１２特定モジュールは、受信した第１ｇｒｏｕｐ  ｃｏｍｍｏｎ  ＰＤＣＣＨの位置するスロットから１つの前記送信周期が経過した時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定する。
【００５９】
本開示の実施例は、第２メモリ、第２プロセッサ、および第２メモリに記憶されて第２プロセッサで実行可能なコンピュータプログラムを含む端末を提供する。ここで、前記第２プロセッサが前記コンピュータプログラムを実行すると、上記の端末に応用されるダウンリンクチャネル受信方法のステップが実現される。
【００６０】
本開示の実施例は、非揮発性のコンピュータ読み取り可能な記憶媒体を提供し、前記非揮発性のコンピュータ読み取り可能な記憶媒体に記憶されているプログラムおよび指令を含む。ここで、前記プログラムおよび指令がコンピュータのプロセッサによって実行されると、前記コンピュータのプロセッサは、上  記の基地局に応用されるダウンリンクチャネル受信方法を実現する。
【００６１】
本開示の実施例は、非揮発性のコンピュータ読み取り可能な記憶媒体を提供し、前記非揮発性のコンピュータ読み取り可能な記憶媒体に記憶されているプログラムおよび指令を含む。ここで、前記プログラムおよび指令がコンピュータのプロセッサによって実行されると、前記コンピュータのプロセッサは、上記の端末に応用されるダウンリンクチャネル受信方法を実現する。
発明の効果
【００６２】
本開示の実施例のダウンリンクチャネル伝送方法において、ｇｒｏｕｐ  ｃｏｍｍｏｎ  ＰＤＣＣＨの送信周期を明示的または暗黙的な方式で指示することによって、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【図面の簡単な説明】
【００６３】
【図１】図１は、本開示におけるダウンリンクチャネル伝送方法のフローチャートである。
【図２】図２は、本開示におけるｇｒｏｕｐ  ｃｏｍｍｏｎ  ＰＤＣＣＨの送信周期の概略図である。
【図３】図３は、本開示におけるｇｒｏｕｐ  ｃｏｍｍｏｎ  ＰＤＣＣＨの送信周期の別の概略図である。
【図４】図４は、本開示におけるｇｒｏｕｐ  ｃｏｍｍｏｎ  ＰＤＣＣＨの送信周期の別の概略図である。
【図５】図５は、本開示におけるダウンリンクチャネル受信方法のフローチャートである。
【図６】図６は、本開示におけるダウンリンクチャネル伝送装置の構造図である。
【図７】図７は、本開示における基地局の構造図である。
【図８】図８は、本開示におけるダウンリンクチャネル受信装置の構造図である。
【図９】図９は、本開示における端末の構造図である。
【発明を実施するための形態】
【００６４】
本開示の解決しようとする技術課題、技術手段および利点をより明確にするために、以下、図面および具体的な実施例を通じて詳細に記載する。
【００６５】
本開示の一部実施例において、図１のように、基地局に応用されるダウンリンクチャネル伝送方法を提供する。当該方法において、ｇｒｏｕｐ  ｃｏｍｍｏｎ  ＰＤＣＣＨの送信周期を明示的または暗黙的な方式で指示するステップ１０１を含む。
【００６６】
ここで、ｇｒｏｕｐ  ｃｏｍｍｏｎ  ＰＤＣＣＨは、一つの端末群に対し有効なＰＤＣＣＨであり、特定のＵＥでしか受信されない。
【００６７】
本開示の実施例のダウンリンクチャネル伝送方法において、ｇｒｏｕｐ  ｃｏｍｍｏｎ  ＰＤＣＣＨの送信周期を明示的または暗黙的な方式で指示することによって、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【００６８】
選択可能な実現方式として、上記ステップ１０１は、ｇｒｏｕｐ  ｃｏｍｍｏｎ  ＰＤＣＣＨの送信周期を、プロトコルで特定するステップ１０１１を含む。
【００６９】
ここで、基地局は、ｇｒｏｕｐ  ｃｏｍｍｏｎ  ＰＤＣＣＨの送信周期を、プロトコルで特定する。この場合、ｇｒｏｕｐ  ｃｏｍｍｏｎ  ＰＤＣＣＨの送信周期は、プロトコルで予め定義された一定の周期である。すなわち、基地局は、すべての端末に対し、一定の送信周期でｇｒｏｕｐ  ｃｏｍｍｏｎ  ＰＤＣＣＨを送信し、すべての端末は、自身に対応するｇｒｏｕｐ  ｃｏｍｍｏｎ  ＰＤＣＣＨを当該一定の送信周期で受信する。
【００７０】
１つの送信周期が有する時間間隔は、２つの隣接するｇｒｏｕｐ  ｃｏｍｍｏｎ  ＰＤＣＣＨが基地局から送信される間の時間であり、たとえばＮ（１以上の正整数）個のスロット（ ｔｉｍｅ  ｓｌｏｔ）である。
【００７１】
さらに、送信スロットを正確に特定するために、本開示の実施例の方法は、ｇｒｏｕｐ  ｃｏｍｍｏｎ  ＰＤＣＣＨ送信の開始スロット位置を、プロトコルで特定するステップ１０１２をさらに含む。
【００７２】
ここで、基地局は、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの送信スロットを特定する。この場合、ｇｒｏｕｐ  ｃｏｍｍｏｎ  ＰＤＣＣＨ送信の開始スロット位置は、プロトコルで予め定義された一定の位置である。すなわち、基地局は、すべての端末に対し、一定の開始スロット位置からｇｒｏｕｐ  ｃｏｍｍｏｎ  ＰＤＣＣＨの送信を開始し、すべての端末は、当該一定の開始スロット位置からｇｒｏｕｐ  ｃｏｍｍｏｎ  ＰＤＣＣＨの受信を開始する。
【００７３】
選択可能に、ステップ１０１２の後に、前記プロトコルで特定されるｇｒｏｕｐ  ｃｏｍｍｏｎ  ＰＤＣＣＨの送信周期と開始スロット位置に基づいて、送信スロットを特定することと、ｇｒｏｕｐ  ｃｏｍｍｏｎ  ＰＤＣＣＨを前記送信スロットで送信することとをさらに含む。
【００７４】
この場合、基地局は、プロトコルで特定されるｇｒｏｕｐ  ｃｏｍｍｏｎ  ＰＤＣＣＨの一定の送信周期と一定の開始スロット位置に基づいて、ｇｒｏｕｐ  ｃｏｍｍｏｎ  ＰＤＣＣＨの送信スロットを正確に特定し、さらにｇｒｏｕｐ  ｃｏｍｍｏｎ  ＰＤＣＣＨをこれらの送信スロットで送信することができる。端末は、プロトコルで特定されるｇｒｏｕｐ  ｃｏｍｍｏｎ  ＰＤＣＣＨの一定の送信周期と一定の開始スロット位置に基づいて、ｇｒｏｕｐ  ｃｏｍｍｏｎ  ＰＤＣＣＨの受信スロットを正確に特定し、さらにｇｒｏｕｐ  ｃｏｍｍｏｎ  ＰＤＣＣＨをこれらの受信スロットで検出して受信することができる。
【００７５】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＳとすると、ｇｒｏｕｐ  ｃｏｍｍｏｎ  ＰＤＣＣＨの送信スロットのｓｌｏｔ番号は、順にＳ、Ｓ＋Ｎ、Ｓ＋２Ｎ、Ｓ＋３Ｎ…と特定できる。
【００７６】
さらに、ｇｒｏｕｐ  ｃｏｍｍｏｎ  ＰＤＣＣＨを前記送信スロットで送信することは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信することを含む。
【００７７】
この場合、基地局からｇｒｏｕｐ  ｃｏｍｍｏｎ  ＰＤＣＣＨを送信すべき送信スロットがフルアップリンクスロットであれば、基地局は、当該スロットの後であって最も近いダウンリンクスロットでｇｒｏｕｐ  ｃｏｍｍｏｎ  ＰＤＣＣＨを送信することによって、ｇｒｏｕｐ  ｃｏｍｍｏｎ  ＰＤＣＣＨの順調な伝送を保証する。
【００７８】
本開示の実施例の上記案において、基地局は、プロトコルで特定される一定の送信周期でｇｒｏｕｐ  ｃｏｍｍｏｎ  ＰＤＣＣＨを送信し、端末は、プロトコルで特定される一定の送信周期でｇｒｏｕｐ  ｃｏｍｍｏｎ  ＰＤＣＣＨを効果的に受信することができるため、ネットワーク性能が向上する。
【００７９】
別の選択可能な実現方式として、上記ステップ１０１は、ｇｒｏｕｐ  ｃｏｍｍｏｎ  ＰＤＣＣＨの送信周期を、前記基地局のカバレッジ内のすべての端末にブロードキャストシグナリングで通知するステップ１０１３を含む。
【００８０】
ここで、基地局は、そのｇｒｏｕｐ  ｃｏｍｍｏｎ  ＰＤＣＣＨの送信周期をすべての端末にブロードキャストシグナリングで通知する。すなわち、基地局は、すべての端末に対し、当該ブロードキャストシグナリングで通知される送信周期でｇｒｏｕｐ  ｃｏｍｍｏｎ  ＰＤＣＣＨを送信し、すべての端末は、自身に対応するｇｒｏｕｐ  ｃｏｍｍｏｎ  ＰＤＣＣＨを、当該ブロードキャストシグナリングで通知される送信周期で受信する。
【００８１】
ここで、前記ブロードキャストシグナリングは、ＭＩＢ（Ｍａｓｔｅｒ  Ｉｎｆｏｒｍａｔｉｏｎ  Ｂｌｏｃｋ）および／またはＳＩＢ（Ｓｙｓｔｅｍ  Ｉｎｆｏｒｍａｔｉｏｎ  Ｂｌｏｃｋ）などのシステム情報である。
【００８２】
ここで、基地局は、実際のサービスリクエストまたは設置シーンに基づいて、ｇｒｏｕｐ  ｃｏｍｍｏｎ  ＰＤＣＣＨを送信する送信周期を調整してもよい。
【００８３】
１つの送信周期が有する時間間隔は、２つの隣接するｇｒｏｕｐ  ｃｏｍｍｏｎ  ＰＤＣＣＨが基地局から送信される間の時間であり、たとえばＮ（１以上の正整数）個のスロットである。
【００８４】
さらに、送信スロットを正確に特定するために、基地局は、そのｇｒｏｕｐ  ｃｏｍｍｏｎ  ＰＤＣＣＨの送信周期をすべての端末にブロードキャストシグナリングで通知し、さらに、そのｇｒｏｕｐ  ｃｏｍｍｏｎ  ＰＤＣＣＨ送信の開始スロット位置を、プロトコルで特定しまたはブロードキャストシグナリングで通知する。以下詳細に紹介する。
【００８５】
選択可能に、本開示の実施例の方法は、ステップ１０１４および／またはステップ１０１５をさらに含む。
【００８６】
ステップ１０１４において、ｇｒｏｕｐ  ｃｏｍｍｏｎ  ＰＤＣＣＨ送信の開始スロット位置を、プロトコルで特定する。
【００８７】
ここで、基地局は、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの送信スロットを特定する。この場合、ｇｒｏｕｐ  ｃｏｍｍｏｎ  ＰＤＣＣＨ送信の開始スロット位置は、プロトコルで予め定義された一定の位置である。すなわち、基地局は、すべての端末に対し、一定の開始スロット位置からｇｒｏｕｐ  ｃｏｍｍｏｎ  ＰＤＣＣＨの送信を開始し、すべての端末は、当該一定の開始スロット位置からｇｒｏｕｐ  ｃｏｍｍｏｎ  ＰＤＣＣＨの受信を開始する。
【００８８】
ステップ１０１５において、ｇｒｏｕｐ  ｃｏｍｍｏｎ  ＰＤＣＣＨ送信の開始スロット位置を前記基地局のカバレッジ内のすべての端末にブロードキャストシグナリングで通知する。
【００８９】
ここで、基地局は、そのｇｒｏｕｐ  ｃｏｍｍｏｎ  ＰＤＣＣＨ送信の開始スロット位置をすべての端末にブロードキャストシグナリングで通知し、当該開始スロット位置と送信周期に基づいて、ｇｒｏｕｐ  ｃｏｍｍｏｎ  ＰＤＣＣＨの送信スロットを特定することができる。この場合、すべての端末に対し、基地局は、当該ブロードキャストシグナリングで通知される開始スロット位置からｇｒｏｕｐ  ｃｏｍｍｏｎ  ＰＤＣＣＨの送信を開始する。すべての端末は、自身に対応するｇｒｏｕｐ  ｃｏｍｍｏｎ  ＰＤＣＣＨの受信を、当該ブロードキャストシグナリングで通知される開始スロット位置から開始する。
【００９０】
選択可能に、ステップ１０１４の後に、前記ｇｒｏｕｐ  ｃｏｍｍｏｎ  ＰＤＣＣＨの送信周期と開始スロット位置に基づいて送信スロットを特定することと、ｇｒｏｕｐ  ｃｏｍｍｏｎ  ＰＤＣＣＨを前記送信スロットで送信することとをさらに含む。
【００９１】
この場合、基地局は、ブロードキャストシグナリングで通知されるｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、ｇｒｏｕｐ  ｃｏｍｍｏｎ  ＰＤＣＣＨの送信スロットを正確に特定し、さらに、これらの送信スロットでｇｒｏｕｐ  ｃｏｍｍｏｎ  ＰＤＣＣＨを送信することができる。端末は、ブロードキャストシグナリングで通知されるｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【００９２】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＳとすると、ｇｒｏｕｐ  ｃｏｍｍｏｎ  ＰＤＣＣＨの送信スロットのｓｌｏｔ番号は、順にＳ、Ｓ＋Ｎ、Ｓ＋２Ｎ、Ｓ＋３Ｎ…と特定できる。
【００９３】
ステップ１０１５の後に、前記ｇｒｏｕｐ  ｃｏｍｍｏｎ  ＰＤＣＣＨの送信周期と開始スロット位置に基づいて送信スロットを特定することと、ｇｒｏｕｐ  ｃｏｍｍｏｎ  ＰＤＣＣＨを前記送信スロットで送信することとをさらに含む。
【００９４】
この場合、基地局は、ブロードキャストシグナリングで通知されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの送信スロットを正確に特定し、さらに、これらの送信スロットでｇｒｏｕｐ  ｃｏｍｍｏｎ  ＰＤＣＣＨを送信することができる。端末は、ブロードキャストシグナリングで通知されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【００９５】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＣとすると、ｇｒｏｕｐ  ｃｏｍｍｏｎ  ＰＤＣＣＨの送信スロットのｓｌｏｔ番号は、順にＣ、Ｃ＋Ｎ、Ｃ＋２Ｎ、Ｃ＋３Ｎ…と特定できる。
【００９６】
さらに、ｇｒｏｕｐ  ｃｏｍｍｏｎ  ＰＤＣＣＨを前記送信スロットで送信することは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信することを含む。
【００９７】
この場合、基地局からｇｒｏｕｐ  ｃｏｍｍｏｎ  ＰＤＣＣＨを送信すべき送信スロットがフルアップリンクスロットであれば、基地局は、当該スロットの後であって最も近いダウンリンクスロットでｇｒｏｕｐ  ｃｏｍｍｏｎ  ＰＤＣＣＨを送信することによって、ｇｒｏｕｐ  ｃｏｍｍｏｎ  ＰＤＣＣＨの順調な伝送を保証する。
【００９８】
本開示の実施例の上記案において、基地局は、そのｇｒｏｕｐ  ｃｏｍｍｏｎ  ＰＤＣＣＨの送信周期をブロードキャストシグナリングですべての端末に通知し、端末は、当該ブロードキャストシグナリングで通知される送信周期でｇｒｏｕｐ  ｃｏｍｍｏｎ  ＰＤＣＣＨを効果的に受信することができるため、ネットワーク性能が向上する。
【００９９】
別の選択可能な実現方式として、上記ステップ１０１は、端末に対応するｇｒｏｕｐ  ｃｏｍｍｏｎ  ＰＤＣＣＨの送信周期を、対応する端末にハイレイヤシグナリングで通知するステップ１０１６を含む。
【０１００】
ここで、ハイレイヤシグナリングは、各端末に対するハイレイヤシグナリングである。すなわち、異なる端末のハイレイヤシグナリングは、内容が異なってもよい。基地局は、各端末に対し、それに対応するｇｒｏｕｐ  ｃｏｍｍｏｎ  ＰＤＣＣＨの送信周期をハイレイヤシグナリングで送信する。異なる端末のｇｒｏｕｐ  ｃｏｍｍｏｎ  ＰＤＣＣＨの送信周期は、異なってもよい。
【０１０１】
ここで、ハイレイヤシグナリングは、ＲＲＣ  ｓｉｇｎａｌｉｎｇである。
【０１０２】
この場合、基地局は、各端末に対し、それに対応するｇｒｏｕｐ  ｃｏｍｍｏｎ  ＰＤＣＣＨの送信周期をハイレイヤシグナリングで送信し、端末は、自身に対応するｇｒｏｕｐ  ｃｏｍｍｏｎ  ＰＤＣＣＨを、ハイレイヤシグナリングで通知されるｇｒｏｕｐ  ｃｏｍｍｏｎ  ＰＤＣＣＨの送信周期で受信する。
【０１０３】
１つの送信周期が有する時間間隔は、２つの隣接するｇｒｏｕｐ  ｃｏｍｍｏｎ  ＰＤＣＣＨが基地局から送信される間の時間であり、たとえばＮ（１以上の正整数）個のスロットである。
【０１０４】
さらに、送信スロットを正確に特定するために、基地局は、そのｇｒｏｕｐ  ｃｏｍｍｏｎ  ＰＤＣＣＨの送信周期を各端末にハイレイヤシグナリングで通知し、さらに、そのｇｒｏｕｐ  ｃｏｍｍｏｎ  ＰＤＣＣＨ送信の開始スロット位置を、プロトコルで特定し、または、ハイレイヤシグナリングで通知する。以下詳細に紹介する。
【０１０５】
選択可能に、本開示の実施例の方法は、ステップ１０１７および／またはステップ１０１８をさらに含む。
【０１０６】
ステップ１０１７において、ｇｒｏｕｐ  ｃｏｍｍｏｎ  ＰＤＣＣＨ送信の開始スロット位置を、プロトコルで特定する。
【０１０７】
ここで、基地局は、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの送信スロットを特定する。この場合、ｇｒｏｕｐ  ｃｏｍｍｏｎ  ＰＤＣＣＨ送信の開始スロット位置は、プロトコルで予め定義された一定の位置である。すなわち、基地局は、すべての端末に対し、一定の開始スロット位置からｇｒｏｕｐ  ｃｏｍｍｏｎ  ＰＤＣＣＨの送信を開始し、すべての端末は、当該一定の開始スロット位置からｇｒｏｕｐ  ｃｏｍｍｏｎ  ＰＤＣＣＨの受信を開始する。
【０１０８】
ステップ１０１８において、端末に対応するｇｒｏｕｐ  ｃｏｍｍｏｎ  ＰＤＣＣＨ送信のオフセット値を、対応する端末にハイレイヤシグナリングで通知する。
【０１０９】
ここで、基地局は、そのｇｒｏｕｐ  ｃｏｍｍｏｎ  ＰＤＣＣＨ送信の開始スロット位置を各端末にハイレイヤシグナリングで通知し、開始スロット位置と送信周期に基づいて、ｇｒｏｕｐ  ｃｏｍｍｏｎ  ＰＤＣＣＨの送信スロットを特定することができる。この場合、基地局は、各端末に対し、対応する開始スロット位置からｇｒｏｕｐ  ｃｏｍｍｏｎ  ＰＤＣＣＨの送信を開始し、端末は、自身に対応するｇｒｏｕｐ  ｃｏｍｍｏｎ  ＰＤＣＣＨの受信を、ハイレイヤシグナリングで通知される開始スロット位置から開始する。
【０１１０】
ここで、端末に対応するｇｒｏｕｐ  ｃｏｍｍｏｎ  ＰＤＣＣＨのオフセット値は、端末に対応する送信周期以下である。
【０１１１】
選択可能に、ステップ１０１７の後に、前記ｇｒｏｕｐ  ｃｏｍｍｏｎ  ＰＤＣＣＨの送信周期と開始スロット位置に基づいて、送信スロットを特定することと、ｇｒｏｕｐ  ｃｏｍｍｏｎ  ＰＤＣＣＨを前記送信スロットで送信することとをさらに含む。
【０１１２】
この場合、基地局は、各端末のｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、各端末のｇｒｏｕｐ  ｃｏｍｍｏｎ  ＰＤＣＣＨの送信スロットを正確に特定し、さらに、これらの送信スロットでｇｒｏｕｐ  ｃｏｍｍｏｎ  ＰＤＣＣＨを送信することができる。端末は、ハイレイヤシグナリングで通知されるｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１１３】
たとえば、基地局からｇｒｏｕｐ  ｃｏｍｍｏｎ  ＰＤＣＣＨを送信する開始スロット位置のｓｌｏｔ番号をＳとし、基地局からハイレイヤシグナリングで、ＵＥ１のｇｒｏｕｐ  ｃｏｍｍｏｎ  ＰＤＣＣＨの送信周期がＮ１（１以上の正整数）個のｓｌｏｔであり、ＵＥ２のｇｒｏｕｐ  ｃｏｍｍｏｎ  ＰＤＣＣＨの送信周期がＮ２（１以上の正整数）個のｓｌｏｔであると通知すると、ＵＥ１のｇｒｏｕｐ  ｃｏｍｍｏｎ  ＰＤＣＣＨの送信スロットのｓｌｏｔ番号は、順にＳ＋Ｎ１、Ｓ＋２Ｎ１、Ｓ＋３Ｎ１…と特定でき、ＵＥ２のｇｒｏｕｐ  ｃｏｍｍｏｎ  ＰＤＣＣＨの送信スロットのｓｌｏｔ番号は、順にＳ＋Ｎ２、Ｓ＋２Ｎ２、Ｓ＋３Ｎ２…と特定できる。
【０１１４】
選択可能に、ステップ１０１８の後に、前記ｇｒｏｕｐ  ｃｏｍｍｏｎ  ＰＤＣＣＨの送信周期とオフセット値に基づいて、送信スロットを特定することと、ｇｒｏｕｐ  ｃｏｍｍｏｎ  ＰＤＣＣＨを前記送信スロットで送信することとをさらに含む。
【０１１５】
この場合、基地局は、各端末のｇｒｏｕｐ  ｃｏｍｍｏｎ  ＰＤＣＣＨの送信周期とオフセット値に基づいて、各端末のｇｒｏｕｐ  ｃｏｍｍｏｎ  ＰＤＣＣＨの送信スロットを正確に特定し、さらに、これらの送信スロットでｇｒｏｕｐ  ｃｏｍｍｏｎ  ＰＤＣＣＨを送信することができる。端末は、ハイレイヤシグナリングで通知されるｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１１６】
たとえば、基地局からＲＲＣ  ｓｉｇｎａｌｉｎｇで、ＵＥ１のｇｒｏｕｐ  ｃｏｍｍｏｎ  ＰＤＣＣＨ送信のオフセット値がＳ１であり、送信周期がＮ１（１以上の正整数かつＮ１≧Ｓ１）であると通知し、基地局からＲＲＣ  ｓｉｇｎａｌｉｎｇで、ＵＥ２のｇｒｏｕｐ  ｃｏｍｍｏｎ  ＰＤＣＣＨ送信のオフセット値がＳ２であり、送信周期がＮ２（１以上の正整数かつＮ２≧Ｓ２）であると通知する。すると、ＵＥ１のｇｒｏｕｐ  ｃｏｍｍｏｎ  ＰＤＣＣＨの送信スロットのｓｌｏｔ番号は、順にｓｌｏｔ  Ｓ１＋Ｎ１、Ｓ１＋２Ｎ１、Ｓ１＋３Ｎ１…と特定でき、ＵＥ２のｇｒｏｕｐ  ｃｏｍｍｏｎ  ＰＤＣＣＨの送信スロットのｓｌｏｔ番号は、順にｓｌｏｔ  Ｓ２＋Ｎ２、Ｓ２＋２Ｎ２、Ｓ２＋３Ｎ２…と特定できる。
【０１１７】
さらに、ｇｒｏｕｐ  ｃｏｍｍｏｎ  ＰＤＣＣＨを前記送信スロットで送信することは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信することを含む。
【０１１８】
この場合、基地局からｇｒｏｕｐ  ｃｏｍｍｏｎ  ＰＤＣＣＨを送信すべき送信スロットがフルアップリンクスロットであれば、基地局は、当該スロットの後であって最も近いダウンリンクスロットでｇｒｏｕｐ  ｃｏｍｍｏｎ  ＰＤＣＣＨを送信することによって、ｇｒｏｕｐ  ｃｏｍｍｏｎ  ＰＤＣＣＨの順調な伝送を保証する。
【０１１９】
本開示の実施例の上記案において、基地局は、各端末に対しそのｇｒｏｕｐ  ｃｏｍｍｏｎ  ＰＤＣＣＨの送信周期をハイレイヤシグナリングで通知し、端末は、当該ハイレイヤシグナリングで通知される送信周期でｇｒｏｕｐ  ｃｏｍｍｏｎ  ＰＤＣＣＨを効果的に受信することができるため、ネットワーク性能が向上する。
【０１２０】
本開示の実施例において、端末は、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨを検出して受信することができる。端末は、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を正確に特定することもできる。
【０１２１】
たとえば、端末は、受信した第１ｇｒｏｕｐ  ｃｏｍｍｏｎ  ＰＤＣＣＨの位置するスロットから１つの前記送信周期が経過するまでの時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定する。
【０１２２】
以下、本開示の実施例の１つの具体的な応用フローを例示して説明する。
【０１２３】
端末がｇｒｏｕｐ  ｃｏｍｍｏｎ  ＰＤＣＣＨを検出して受信することを、基地局がハイレイヤシグナリングによって設定するとし、たとえば、端末ＵＥ１、ＵＥ２、ＵＥ３は、ｇｒｏｕｐ  ｃｏｍｍｏｎ  ＰＤＣＣＨ１を検出して受信し、端末ＵＥ４、ＵＥ５は、ｇｒｏｕｐ  ｃｏｍｍｏｎ  ＰＤＣＣＨ２を検出して受信する。ｇｒｏｕｐ  ｃｏｍｍｏｎ  ＰＤＣＣＨがｓｌｏｔ  Ｓ、ｓｌｏｔ  Ｓ＋Ｎ、  ｓｌｏｔ  Ｓ＋２Ｎ…で一定に伝送されることを、基地局がプロトコルで特定するとし、端末は、それに対応するｇｒｏｕｐ  ｃｏｍｍｏｎ  ＰＤＣＣＨをｓｌｏｔ  Ｓ、ｓｌｏｔ  Ｓ＋Ｎ、  ｓｌｏｔ  Ｓ＋２Ｎ…で検出して受信することを、プロトコルで特定する。たとえば、Ｓ＝０の場合、端末は、ｇｒｏｕｐ  ｃｏｍｍｏｎ  ＰＤＣＣＨをｓｌｏｔ  ０、ｓｌｏｔ  Ｎ、ｓｌｏｔ  ２Ｎ、ｓｌｏｔ  ３Ｎなどのｓｌｏｔ内で検出して受信する。図２を参照する。端末ＵＥ１、ＵＥ２、ＵＥ３は、それに対応するｇｒｏｕｐ  ｃｏｍｍｏｎ  ＰＤＣＣＨ１をｓｌｏｔ  ０、ｓｌｏｔ  Ｎ、ｓｌｏｔ  ２Ｎなどのｓｌｏｔ内で検出して受信し、端末ＵＥ４、ＵＥ５は、それに対応するｇｒｏｕｐ  ｃｏｍｍｏｎ  ＰＤＣＣＨ２をｓｌｏｔ  ０、ｓｌｏｔ  Ｎ、ｓｌｏｔ  ２Ｎなどのｓｌｏｔ内で検出して受信する。
【０１２４】
端末は、ｇｒｏｕｐ  ｃｏｍｍｏｎ  ＰＤＣＣＨを受信してから、次のｇｒｏｕｐ  ｃｏｍｍｏｎ  ＰＤＣＣＨの受信スロットまで、受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、次にｇｒｏｕｐ  ｃｏｍｍｏｎ  ＰＤＣＣＨを正しく受信するまで、正しく受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、基地局から関連パラメータの変更を通知されるまで、正しく受信したｇｒｏｕｐ  ｃｏｍｍｏｎ  ＰＤＣＣＨで受信データを送信する。
【０１２５】
さらに、ｇｒｏｕｐ  ｃｏｍｍｏｎ  ＰＤＣＣＨを伝送すべきｓｌｏｔがフルアップリンクであれば、基地局は、当該ｓｌｏｔの後の１つ目のダウンリンクｓｌｏｔでｇｒｏｕｐ  ｃｏｍｍｏｎ  ＰＤＣＣＨを送信する。端末は、あるｇｒｏｕｐ  ｃｏｍｍｏｎ  ＰＤＣＣＨの伝送位置の位置するｓｌｏｔがフルアップリンクであることを知ると、当該ｓｌｏｔの後の１つ目のダウンリンクｓｌｏｔでｇｒｏｕｐ  ｃｏｍｍｏｎ  ＰＤＣＣＨを検出して受信する。たとえば、基地局からｓｌｏｔ  Ｎがフルアップリンクｓｌｏｔであると端末に通知すると、基地局は、ｓｌｏｔ  Ｎでｇｒｏｕｐ  ｃｏｍｍｏｎ  ＰＤＣＣＨを送信せず、端末も、ｓｌｏｔ  Ｎでｇｒｏｕｐ  ｃｏｍｍｏｎ  ＰＤＣＣＨを検出して受信しない。ｓｌｏｔ  Ｎの後で最も近く、ダウンリンクリソースを含むｓｌｏｔがｓｌｏｔ  Ｎ＋２であると、基地局は、ｓｌｏｔ  Ｎ＋２でｇｒｏｕｐ  ｃｏｍｍｏｎ  ＰＤＣＣＨを送信し、端末は、ｓｌｏｔ  Ｎ＋２でｇｒｏｕｐ  ｃｏｍｍｏｎ  ＰＤＣＣＨを検出して受信する。図３を参照する。
【０１２６】
以下、本開示の実施例のもう１つの具体的な応用フローを例示して説明する。
【０１２７】
端末がｇｒｏｕｐ  ｃｏｍｍｏｎ  ＰＤＣＣＨを検出して受信することを、基地局がハイレイヤシグナリングによって設定するとし、たとえば、端末ＵＥ１、ＵＥ２、ＵＥ３は、ｇｒｏｕｐ  ｃｏｍｍｏｎ  ＰＤＣＣＨ１を検出して受信し、端末ＵＥ４、ＵＥ５は、ｇｒｏｕｐ  ｃｏｍｍｏｎ  ＰＤＣＣＨ２を検出して受信する。基地局は、ｇｒｏｕｐ  ｃｏｍｍｏｎ  ＰＤＣＣＨの送信位置を、ブロードキャストシグナリングで端末に通知する。基地局からＭＩＢおよび／またはＳＩＢで、ｓｌｏｔ  Ｓ、ｓｌｏｔ  Ｓ＋Ｎ、  ｓｌｏｔ  Ｓ＋２Ｎ…でｇｒｏｕｐ  ｃｏｍｍｏｎ  ＰＤＣＣＨを伝送すると通知すると、端末は、それに対応するｇｒｏｕｐ  ｃｏｍｍｏｎ  ＰＤＣＣＨをｓｌｏｔ  Ｓ、ｓｌｏｔ  Ｓ＋Ｎ、  ｓｌｏｔ  Ｓ＋２Ｎで検出して受信することを、ＭＩＢおよび／またはＳＩＢによって特定する。たとえば、Ｓ＝０の場合、端末は、ｇｒｏｕｐ  ｃｏｍｍｏｎ  ＰＤＣＣＨをｓｌｏｔ  ０、ｓｌｏｔ  Ｎ、ｓｌｏｔ  ２Ｎ、ｓｌｏｔ  ３Ｎなどのｓｌｏｔ内で検出して受信する。図２を参照する。端末ＵＥ１、ＵＥ２、ＵＥ３は、それに対応するｇｒｏｕｐ  ｃｏｍｍｏｎ  ＰＤＣＣＨ１をｓｌｏｔ  ０、ｓｌｏｔ  Ｎ、ｓｌｏｔ  ２Ｎなどのｓｌｏｔ内で検出して受信し、端末ＵＥ４、ＵＥ５は、それに対応するｇｒｏｕｐ  ｃｏｍｍｏｎ  ＰＤＣＣＨ２をｓｌｏｔ  ０、ｓｌｏｔ  Ｎ、ｓｌｏｔ  ２Ｎなどのｓｌｏｔ内で検出して受信する。
【０１２８】
端末は、ｇｒｏｕｐ  ｃｏｍｍｏｎ  ＰＤＣＣＨを受信してから、次のｇｒｏｕｐ  ｃｏｍｍｏｎ  ＰＤＣＣＨの受信スロットまで、受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、次にｇｒｏｕｐ  ｃｏｍｍｏｎ  ＰＤＣＣＨを正しく受信するまで、正しく受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、基地局から関連パラメータの変更を通知されるまで、正しく受信したｇｒｏｕｐ  ｃｏｍｍｏｎ  ＰＤＣＣＨで受信データを送信する。
【０１２９】
または、ｇｒｏｕｐ  ｃｏｍｍｏｎ  ＰＤＣＣＨの開始オフセット位置Ｓは、プロトコルで予め定義された数値であり、基地局は、ｇｒｏｕｐ  ｃｏｍｍｏｎ  ＰＤＣＣＨを検出して受信する送信周期Ｎをブロードキャストシグナリングで端末に通知すればよい。
【０１３０】
基地局は、サービス状況に基づいて、ｇｒｏｕｐ  ｃｏｍｍｏｎ  ＰＤＣＣＨの送信周期をブロードキャストシグナリングで調整することができる。たとえば、基地局は、ｇｒｏｕｐ  ｃｏｍｍｏｎ  ＰＤＣＣＨの送信周期がＮから２Ｎに調整されたことを、ブロードキャストシグナリングで端末に通知する。
【０１３１】
さらに、ｇｒｏｕｐ  ｃｏｍｍｏｎ  ＰＤＣＣＨを伝送すべきｓｌｏｔがフルアップリンクであれば、基地局は、当該ｓｌｏｔの後の１つ目のダウンリンクｓｌｏｔでｇｒｏｕｐ  ｃｏｍｍｏｎ  ＰＤＣＣＨを送信する。端末は、あるｇｒｏｕｐ  ｃｏｍｍｏｎ  ＰＤＣＣＨの伝送位置の位置するｓｌｏｔがフルアップリンクであることを知ると、当該ｓｌｏｔの後の１つ目のダウンリンクｓｌｏｔでｇｒｏｕｐ  ｃｏｍｍｏｎ  ＰＤＣＣＨを検出して受信する。たとえば、基地局からｓｌｏｔ  Ｎがフルアップリンクｓｌｏｔであると端末に通知すると、基地局は、ｓｌｏｔ  Ｎでｇｒｏｕｐ  ｃｏｍｍｏｎ  ＰＤＣＣＨを送信せず、端末も、ｓｌｏｔ  Ｎでｇｒｏｕｐ  ｃｏｍｍｏｎ  ＰＤＣＣＨを検出して受信しない。ｓｌｏｔ  Ｎの後で最も近く、ダウンリンクリソースを含むｓｌｏｔがｓｌｏｔ  Ｎ＋２であると、基地局は、ｓｌｏｔ  Ｎ＋２でｇｒｏｕｐ  ｃｏｍｍｏｎ  ＰＤＣＣＨを送信し、端末は、ｓｌｏｔ  Ｎ＋２でｇｒｏｕｐ  ｃｏｍｍｏｎ  ＰＤＣＣＨを検出して受信する。図３を参照する。
【０１３２】
以下、本開示の実施例のもう１つの具体的な応用フローを例示して説明する。
【０１３３】
端末がｇｒｏｕｐ  ｃｏｍｍｏｎ  ＰＤＣＣＨを検出して受信することを、基地局がハイレイヤシグナリングによって設定するとし、たとえば、端末ＵＥ１、ＵＥ２、ＵＥ３は、ｇｒｏｕｐ  ｃｏｍｍｏｎ  ＰＤＣＣＨ１を検出して受信し、端末ＵＥ４、ＵＥ５は、ｇｒｏｕｐ  ｃｏｍｍｏｎ  ＰＤＣＣＨ２を検出して受信する。基地局は、ｇｒｏｕｐ  ｃｏｍｍｏｎ  ＰＤＣＣＨの送信位置を、ハイレイヤシグナリングで端末に通知する。基地局は、以下の異なる手段によって、ｇｒｏｕｐ  ｃｏｍｍｏｎ  ＰＤＣＣＨの送信位置をハイレイヤシグナリングで端末に通知する。
【０１３４】
基地局からｇｒｏｕｐ  ｃｏｍｍｏｎ  ＰＤＣＣＨを送信する開始スロット位置は、プロトコルで予め定義された位置であり、たとえば開始スロット位置がｓｌｏｔ  Ｓである。基地局は、ハイレイヤシグナリングで端末に対し対応するｇｒｏｕｐ  ｃｏｍｍｏｎ  ＰＤＣＣＨの送信周期を通知する。たとえば、ｇｒｏｕｐ  ｃｏｍｍｏｎ  ＰＤＣＣＨ１の送信周期は、Ｎ１であり、ｇｒｏｕｐ  ｃｏｍｍｏｎ  ＰＤＣＣＨ２の送信周期は、Ｎ２である。すると、端末ＵＥ１、ＵＥ２、ＵＥ３は、受信すべきｇｒｏｕｐ  ｃｏｍｍｏｎ  ＰＤＣＣＨ１のｓｌｏｔがｓｌｏｔ  Ｓ、ｓｌｏｔ  Ｓ＋Ｎ１、ｓｌｏｔ  Ｓ＋２Ｎ１、ｓｌｏｔ  Ｓ＋３Ｎ１…であることを知り、ｇｒｏｕｐ  ｃｏｍｍｏｎ  ＰＤＣＣＨ１を検出して受信することを、ｓｌｏｔ  Ｓ＋Ｎ１、ｓｌｏｔ  Ｓ＋２Ｎ１、ｓｌｏｔ  Ｓ＋３Ｎ１などのｓｌｏｔで試みる。端末ＵＥ４、ＵＥ５は、受信すべきｇｒｏｕｐ  ｃｏｍｍｏｎ  ＰＤＣＣＨ２のｓｌｏｔがｓｌｏｔ  Ｓ、ｓｌｏｔ  Ｓ＋Ｎ２、ｓｌｏｔ  Ｓ＋２Ｎ２、ｓｌｏｔ  Ｓ＋３Ｎ２…であることを知り、ｇｒｏｕｐ  ｃｏｍｍｏｎ  ＰＤＣＣＨ２を検出して受信することを、ｓｌｏｔ  Ｓ＋Ｎ２、ｓｌｏｔ  Ｓ＋２Ｎ２、ｓｌｏｔ  Ｓ＋３Ｎ２などのｓｌｏｔで試みる。
【０１３５】
または、基地局は、端末に対し対応するｇｒｏｕｐ  ｃｏｍｍｏｎ  ＰＤＣＣＨ伝送のオフセット値および送信周期をハイレイヤシグナリングで通知する。たとえば、基地局は、ＵＥ１、ＵＥ２、ＵＥ３のｇｒｏｕｐ  ｃｏｍｍｏｎ  ＰＤＣＣＨ１送信のオフセット値がＳ１個のｓｌｏｔであり、その送信周期がＮ１（Ｎ１≧Ｓ１）であることを、ＲＲＣ  ｓｉｇｎａｌｉｎｇで設定する。基地局は、ＵＥ４、ＵＥ５のｇｒｏｕｐ  ｃｏｍｍｏｎ  ＰＤＣＣＨ送信のオフセット値がＳ２個のｓｌｏｔであり、その送信周期がＮ２（Ｎ２≧Ｓ２）であることを、ＲＲＣ  ｓｉｇｎａｌｉｎｇで設定する。すると、端末ＵＥ１、ＵＥ２、ＵＥ３は、受信すべきｇｒｏｕｐ  ｃｏｍｍｏｎ  ＰＤＣＣＨ１の伝送ｓｌｏｔがｓｌｏｔ  Ｓ１＋Ｎ１、ｓｌｏｔ  Ｓ１＋２Ｎ１、ｓｌｏｔ  Ｓ１＋３Ｎ１…であることを知り、ｇｒｏｕｐ  ｃｏｍｍｏｎ  ＰＤＣＣＨ１を検出して受信することを、ｓｌｏｔ  Ｓ１＋Ｎ１、ｓｌｏｔ  Ｓ１＋２Ｎ１、ｓｌｏｔ  Ｓ１＋３Ｎ１などのｓｌｏｔで試みる。端末ＵＥ４、ＵＥ５は、受信すべきｇｒｏｕｐ  ｃｏｍｍｏｎ  ＰＤＣＣＨ２の伝送ｓｌｏｔがｓｌｏｔ  Ｓ２＋Ｎ２、ｓｌｏｔ  Ｓ２＋２Ｎ２、ｓｌｏｔ  Ｓ２＋３Ｎ２…であることを知り、ｇｒｏｕｐ  ｃｏｍｍｏｎ  ＰＤＣＣＨ２を検出して受信することを、ｓｌｏｔ  Ｓ２＋Ｎ２、ｓｌｏｔ  Ｓ２＋２Ｎ２、ｓｌｏｔ  Ｓ２＋３Ｎ２などのｓｌｏｔで試みる。図４のように、ｇｒｏｕｐ  ｃｏｍｍｏｎ  ＰＤＣＣＨ１の伝送オフセット値Ｓ１＝０、伝送周期Ｎとし、ｇｒｏｕｐ  ｃｏｍｍｏｎ  ＰＤＣＣＨの伝送オフセット値Ｓ２＝１、伝送周期２Ｎとする。
【０１３６】
端末は、ｇｒｏｕｐ  ｃｏｍｍｏｎ  ＰＤＣＣＨを受信してから、次のｇｒｏｕｐ  ｃｏｍｍｏｎ  ＰＤＣＣＨの受信スロットまで、受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、次にｇｒｏｕｐ  ｃｏｍｍｏｎ  ＰＤＣＣＨを正しく受信するまで、正しく受信したｇｒｏｕｐ  ｃｏｍｍｏｎ  ＰＤＣＣＨで受信データを送信する。または、端末は、ｇｒｏｕｐ  ｃｏｍｍｏｎ  ＰＤＣＣＨを受信してから、基地局から関連パラメータの変更を通知されるまで、正しく受信したｇｒｏｕｐ  ｃｏｍｍｏｎ  ＰＤＣＣＨで受信データを送信する。
【０１３７】
さらに、ｇｒｏｕｐ  ｃｏｍｍｏｎ  ＰＤＣＣＨを伝送すべきｓｌｏｔがフルアップリンクであれば、基地局は、当該ｓｌｏｔの後の１つ目のダウンリンクｓｌｏｔでｇｒｏｕｐ  ｃｏｍｍｏｎ  ＰＤＣＣＨを送信する。端末は、あるｇｒｏｕｐ  ｃｏｍｍｏｎ  ＰＤＣＣＨの伝送位置の位置するｓｌｏｔがフルアップリンクであることを知ると、当該ｓｌｏｔの後の１つ目のダウンリンクｓｌｏｔでｇｒｏｕｐ  ｃｏｍｍｏｎ  ＰＤＣＣＨを検出して受信する。たとえば、基地局からｓｌｏｔ  Ｎがフルアップリンクｓｌｏｔであると端末に通知すると、基地局は、ｓｌｏｔ  Ｎでｇｒｏｕｐ  ｃｏｍｍｏｎ  ＰＤＣＣＨを送信せず、端末も、ｓｌｏｔ  Ｎでｇｒｏｕｐ  ｃｏｍｍｏｎ  ＰＤＣＣＨを検出して受信しない。ｓｌｏｔ  Ｎの後で最も近く、ダウンリンクリソースを含むｓｌｏｔがｓｌｏｔ  Ｎ＋２であると、基地局は、ｓｌｏｔ  Ｎ＋２でｇｒｏｕｐ  ｃｏｍｍｏｎ  ＰＤＣＣＨを送信し、端末は、ｓｌｏｔ  Ｎ＋２でｇｒｏｕｐ  ｃｏｍｍｏｎ  ＰＤＣＣＨを検出して受信する。図３を参照する。
【０１３８】
本開示の実施例のダウンリンクチャネル伝送方法において、ｇｒｏｕｐ  ｃｏｍｍｏｎ  ＰＤＣＣＨの送信周期を明示的または暗黙的な方式で指示することによって、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０１３９】
本開示の一部実施例において、図５のように、端末に応用されるダウンリンクチャネル受信方法を提供する。当該方法において、ｇｒｏｕｐ  ｃｏｍｍｏｎ  ＰＤＣＣＨの送信周期を明示的または暗黙的な方式で特定するステップ５０１を含む。
【０１４０】
本開示の実施例のダウンリンクチャネル受信方法において、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０１４１】
選択可能な実現方式として、上記ステップ５０１は、ｇｒｏｕｐ  ｃｏｍｍｏｎ  ＰＤＣＣＨの送信周期を、プロトコルで特定するステップ５０１１を含む。
【０１４２】
ここで、端末は、ｇｒｏｕｐ  ｃｏｍｍｏｎ  ＰＤＣＣＨの送信周期を、プロトコルで特定し、自身に対応するｇｒｏｕｐ  ｃｏｍｍｏｎ  ＰＤＣＣＨを、当該送信周期で受信する。
【０１４３】
さらに、受信スロットを正確に特定するために、本開示の実施例の方法は、ｇｒｏｕｐ  ｃｏｍｍｏｎ  ＰＤＣＣＨ送信の開始スロット位置を、プロトコルで特定するステップ５０１２をさらに含む。
【０１４４】
ここで、端末は、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの受信スロットを特定する。
【０１４５】
選択可能に、ステップ５０１２の後に、前記プロトコルで特定されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【０１４６】
この場合、端末は、プロトコルで特定されるｇｒｏｕｐ  ｃｏｍｍｏｎ  ＰＤＣＣＨの一定の送信周期と一定の開始スロット位置に基づいて、ｇｒｏｕｐ  ｃｏｍｍｏｎ  ＰＤＣＣＨの受信スロットを正確に特定し、さらにｇｒｏｕｐ  ｃｏｍｍｏｎ  ＰＤＣＣＨをこれらの受信スロットで送信することができる。
【０１４７】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＳとすると、ｇｒｏｕｐ  ｃｏｍｍｏｎ  ＰＤＣＣＨの受信スロットのｓｌｏｔ番号は、順にＳ、Ｓ＋Ｎ、Ｓ＋２Ｎ、Ｓ＋３Ｎ…と特定できる。
【０１４８】
本開示の実施例の上記案において、基地局は、プロトコルで特定される一定の送信周期でｇｒｏｕｐ  ｃｏｍｍｏｎ  ＰＤＣＣＨを送信し、端末は、プロトコルで特定される一定の送信周期でｇｒｏｕｐ  ｃｏｍｍｏｎ  ＰＤＣＣＨを効果的に受信することができるため、ネットワーク性能が向上する。
【０１４９】
別の選択可能な実現方式として、上記ステップ５０１は、ｇｒｏｕｐ  ｃｏｍｍｏｎ  ＰＤＣＣＨの送信周期を、基地局から送信されるブロードキャストシグナリングで特定するステップ５０１３を含む。
【０１５０】
ここで、端末は、ｇｒｏｕｐ  ｃｏｍｍｏｎ  ＰＤＣＣＨの送信周期をブロードキャストシグナリングで特定し、自身に対応するｇｒｏｕｐ  ｃｏｍｍｏｎ  ＰＤＣＣＨを、当該送信周期で受信する。
【０１５１】
さらに、受信スロットを正確に特定するために、本開示の実施例の方法は、ステップ５０１４および／またはステップ５０１５をさらに含む。
【０１５２】
ステップ５０１４において、ｇｒｏｕｐ  ｃｏｍｍｏｎ  ＰＤＣＣＨ送信の開始スロット位置を、プロトコルで特定する。
【０１５３】
ここで、端末、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの受信スロットを特定する。
【０１５４】
ステップ５０１５において、ｇｒｏｕｐ  ｃｏｍｍｏｎ  ＰＤＣＣＨ送信の開始スロット位置を、基地局から送信されるブロードキャストシグナリングで特定する。
【０１５５】
ここで、端末は、ｇｒｏｕｐ  ｃｏｍｍｏｎ  ＰＤＣＣＨ送信の開始スロット位置をブロードキャストシグナリングで特定し、さらに送信周期と開始スロット位置に基づいて、ｇｒｏｕｐ  ｃｏｍｍｏｎ  ＰＤＣＣＨの受信スロットを特定する。
【０１５６】
選択可能に、ステップ５０１４の後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【０１５７】
この場合、端末は、ブロードキャストシグナリングで通知されるｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１５８】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＳとすると、ｇｒｏｕｐ  ｃｏｍｍｏｎ  ＰＤＣＣＨの受信スロットのｓｌｏｔ番号は、順にＳ、Ｓ＋Ｎ、Ｓ＋２Ｎ、Ｓ＋３Ｎ…と特定できる。
【０１５９】
選択可能に、ステップ５０１５の後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【０１６０】
この場合、端末は、ブロードキャストシグナリングで通知されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１６１】
たとえば、ｇｒｏｕｐ  ｃｏｍｍｏｎ  ＰＤＣＣＨの送信周期をＮ（１以上の正整数）、ｇｒｏｕｐ  ｃｏｍｍｏｎ  ＰＤＣＣＨ送信の開始スロット位置のｓｌｏｔ番号をＣとすると、ｇｒｏｕｐ  ｃｏｍｍｏｎ  ＰＤＣＣＨの受信スロットのｓｌｏｔ番号は、順にＣ、Ｃ＋Ｎ、Ｃ＋２Ｎ、Ｃ＋３Ｎ…と特定できる。
【０１６２】
本開示の実施例の上記案において、基地局は、そのｇｒｏｕｐ  ｃｏｍｍｏｎ  ＰＤＣＣＨの送信周期をブロードキャストシグナリングですべての端末に通知し、端末は、当該ブロードキャストシグナリングで通知される送信周期でｇｒｏｕｐ  ｃｏｍｍｏｎ  ＰＤＣＣＨを効果的に受信することができるため、ネットワーク性能が向上する。
【０１６３】
別の選択可能な実現方式として、上記ステップ５０１は、ｇｒｏｕｐ  ｃｏｍｍｏｎ  ＰＤＣＣＨの送信周期を、基地局から送信されるハイレイヤシグナリングで特定するステップ５０１６を含む。
【０１６４】
ここで、端末は、ｇｒｏｕｐ  ｃｏｍｍｏｎ  ＰＤＣＣＨの送信周期を、ハイレイヤシグナリングで特定し、自身に対応するｇｒｏｕｐ  ｃｏｍｍｏｎ  ＰＤＣＣＨを、当該送信周期で受信する。
【０１６５】
さらに、受信スロットを正確に特定するために、本開示の実施例の方法は、ステップ５０１７および／またはステップ５０１８をさらに含む。
【０１６６】
ステップ５０１７において、ｇｒｏｕｐ  ｃｏｍｍｏｎ  ＰＤＣＣＨ送信の開始スロット位置を、プロトコルで特定する。
【０１６７】
ここで、端末は、ｇｒｏｕｐ  ｃｏｍｍｏｎ  ＰＤＣＣＨ送信の開始スロット位置をプロトコルで特定し、さらに送信周期と開始スロット位置に基づいて、ｇｒｏｕｐ  ｃｏｍｍｏｎ  ＰＤＣＣＨの受信スロットを特定する。
【０１６８】
ステップ５０１８において、ｇｒｏｕｐ  ｃｏｍｍｏｎ  ＰＤＣＣＨ送信のオフセット値を、基地局から送信されるハイレイヤシグナリングで特定する。
【０１６９】
ここで、端末は、ｇｒｏｕｐ  ｃｏｍｍｏｎ  ＰＤＣＣＨ送信のオフセット値を、ハイレイヤシグナリングで特定し、さらに送信周期とオフセット値に基づいて、ｇｒｏｕｐ  ｃｏｍｍｏｎ  ＰＤＣＣＨの受信スロットを特定する。
【０１７０】
選択可能に、ステップ５０１７の後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【０１７１】
この場合、端末は、ハイレイヤシグナリングで通知されるｇｒｏｕｐ  ｃｏｍｍｏｎ  ＰＤＣＣＨの送信周期と、プロトコルで特定されるｇｒｏｕｐ  ｃｏｍｍｏｎ  ＰＤＣＣＨの一定の開始スロット位置に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１７２】
たとえば、基地局からｇｒｏｕｐ  ｃｏｍｍｏｎ  ＰＤＣＣＨを送信する開始スロット位置のｓｌｏｔ番号をＳとし、基地局からハイレイヤシグナリングで、ＵＥ１のｇｒｏｕｐ  ｃｏｍｍｏｎ  ＰＤＣＣＨの送信周期がＮ１（１以上の正整数）個のｓｌｏｔであり、ＵＥ２のｇｒｏｕｐ  ｃｏｍｍｏｎ  ＰＤＣＣＨの送信周期がＮ２（１以上の正整数）個のｓｌｏｔであると通知すると、ＵＥ１のｇｒｏｕｐ  ｃｏｍｍｏｎ  ＰＤＣＣＨの受信スロットのｓｌｏｔ番号は、順にＳ＋Ｎ１、Ｓ＋２Ｎ１、Ｓ＋３Ｎ１…と特定でき、ＵＥ２のｇｒｏｕｐ  ｃｏｍｍｏｎ  ＰＤＣＣＨの受信スロットのｓｌｏｔ番号は、順にＳ＋Ｎ２、Ｓ＋２Ｎ２、Ｓ＋３Ｎ２…と特定できる。
【０１７３】
選択可能に、ステップ５０１８の後に、前記ｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを特定することと、ｇｒｏｕｐ  ｃｏｍｍｏｎ  ＰＤＣＣＨを前記受信スロットで検出して受信することとをさらに含む。
【０１７４】
この場合、端末は、ハイレイヤシグナリングで通知されるｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを正確に特定し、さらに、これらの受信スロットでｇｒｏｕｐ  ｃｏｍｍｏｎ  ＰＤＣＣＨを検出して受信することができる。
【０１７５】
たとえば、基地局からＲＲＣ  ｓｉｇｎａｌｉｎｇで、ＵＥ１のｇｒｏｕｐ  ｃｏｍｍｏｎ  ＰＤＣＣＨ送信のオフセット値がＳ１であり、送信周期がＮ１（１以上の正整数かつＮ１≧Ｓ１）であると通知し、基地局からＲＲＣ  ｓｉｇｎａｌｉｎｇで、ＵＥ２のｇｒｏｕｐ  ｃｏｍｍｏｎ  ＰＤＣＣＨ送信のオフセット値がＳ２であり、送信周期がＮ２（１以上の正整数かつＮ２≧Ｓ２）であると通知する。すると、ＵＥ１のｇｒｏｕｐ  ｃｏｍｍｏｎ  ＰＤＣＣＨの受信スロットのｓｌｏｔ番号は、順にｓｌｏｔ  Ｓ１＋Ｎ１、Ｓ１＋２Ｎ１、Ｓ１＋３Ｎ１…と特定でき、ＵＥ２のｇｒｏｕｐ  ｃｏｍｍｏｎ  ＰＤＣＣＨの受信スロットのｓｌｏｔ番号は、順にｓｌｏｔ  Ｓ２＋Ｎ２、Ｓ２＋２Ｎ２、Ｓ２＋３Ｎ２…と特定できる。
【０１７６】
本開示の実施例の上記案において、基地局は、各端末に対しそのｇｒｏｕｐ  ｃｏｍｍｏｎ  ＰＤＣＣＨの送信周期をハイレイヤシグナリングで通知し、端末は、当該ハイレイヤシグナリングで通知される送信周期でｇｒｏｕｐ  ｃｏｍｍｏｎ  ＰＤＣＣＨを効果的に受信することができるため、ネットワーク性能が向上する。
【０１７７】
さらに、本開示の実施例において、基地局からｇｒｏｕｐ  ｃｏｍｍｏｎ  ＰＤＣＣＨを送信すべき送信スロットがフルアップリンクスロットであれば、基地局は、当該スロットの後であって最も近いダウンリンクスロットでｇｒｏｕｐ  ｃｏｍｍｏｎ  ＰＤＣＣＨを送信することによって、ｇｒｏｕｐ  ｃｏｍｍｏｎ  ＰＤＣＣＨの順調な伝送を保証する。
【０１７８】
対応して、ｇｒｏｕｐ  ｃｏｍｍｏｎ  ＰＤＣＣＨを前記受信スロットで検出して受信することは、第１受信スロットがフルアップリンクスロットであれば、前記第１受信スロットの後であって前記第１受信スロットに最も近いダウンリンク受信スロットでｇｒｏｕｐ  ｃｏｍｍｏｎ  ＰＤＣＣＨを検出して受信する。
【０１７９】
この場合、ｇｒｏｕｐ  ｃｏｍｍｏｎ  ＰＤＣＣＨを検出して受信する受信スロットがフルアップリンクスロットであれば、端末は、当該スロットの後の最も近いダウンリンクスロットでｇｒｏｕｐ  ｃｏｍｍｏｎ  ＰＤＣＣＨを検出して受信することによって、ｇｒｏｕｐ  ｃｏｍｍｏｎ  ＰＤＣＣＨの順調な受信を保証する。
【０１８０】
選択可能に、ｇｒｏｕｐ  ｃｏｍｍｏｎ  ＰＤＣＣＨの送信周期を特定した後に、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定するステップ５０２をさらに含む。
【０１８１】
この場合、端末は、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を正確に特定することができる。
【０１８２】
選択可能に、ステップ５０２は、受信した第１ｇｒｏｕｐ  ｃｏｍｍｏｎ  ＰＤＣＣＨの位置するスロットから１つの前記送信周期が経過するまでの時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定することを含む。
【０１８３】
この場合、ｇｒｏｕｐ  ｃｏｍｍｏｎ  ＰＤＣＣＨのデータ発効時間は、その送信周期である。たとえば、端末のｇｒｏｕｐ  ｃｏｍｍｏｎ  ＰＤＣＣＨ１をＮ個のｓｌｏｔ毎に送信すると、ｇｒｏｕｐ  ｃｏｍｍｏｎ  ＰＤＣＣＨ１を受信するｓｌｏｔを含むＮ個のｓｌｏｔで、端末は、当該ｇｒｏｕｐ  ｃｏｍｍｏｎ  ＰＤＣＣＨ１に付帯される情報に基づいて、受信データを送信する。または、ｇｒｏｕｐ  ｃｏｍｍｏｎ  ＰＤＣＣＨのデータ発効時間は、次にｇｒｏｕｐ  ｃｏｍｍｏｎ  ＰＤＣＣＨを正しく受信するまでの時間である。すなわち、端末は、ｇｒｏｕｐ  ｃｏｍｍｏｎ  ＰＤＣＣＨ１を受信してから、次にｇｒｏｕｐ  ｃｏｍｍｏｎ  ＰＤＣＣＨを正しく受信するまで、正しく受信したｇｒｏｕｐ  ｃｏｍｍｏｎ  ＰＤＣＣＨ１に付帯される情報に基づいて、受信データを送信する。または、ｇｒｏｕｐ  ｃｏｍｍｏｎ  ＰＤＣＣＨのデータ発効時間は、ｇｒｏｕｐ  ｃｏｍｍｏｎ  ＰＤＣＣＨ変更指令を基地局から受信するまでの時間である。すなわち、端末は、ｇｒｏｕｐ  ｃｏｍｍｏｎ  ＰＤＣＣＨ１を受信してから、基地局から関連パラメータを明示的なシグナリングで変更されるまで、正しく受信したｇｒｏｕｐ  ｃｏｍｍｏｎ  ＰＤＣＣＨ１に付帯される情報に基づいて、受信データを送信する。
【０１８４】
本開示の実施例のダウンリンクチャネル受信方法において、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０１８５】
本開示の一部実施例において、図６のように、基地局に応用されるダウンリンクチャネル伝送装置をさらに提供する。前記装置は、ｇｒｏｕｐ  ｃｏｍｍｏｎ  ＰＤＣＣＨの送信周期を明示的または暗黙的な方式で指示する指示モジュール６０１を含む。
【０１８６】
本開示の実施例のダウンリンクチャネル伝送装置は、ｇｒｏｕｐ  ｃｏｍｍｏｎ  ＰＤＣＣＨの送信周期を明示的または暗黙的な方式で指示することによって、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０１８７】
選択可能に、前記指示モジュール６０１は、ｇｒｏｕｐ  ｃｏｍｍｏｎ  ＰＤＣＣＨの送信周期を、プロトコルで特定する第１特定ユニットを含む。
【０１８８】
選択可能に、ダウンリンクチャネル伝送装置は、ｇｒｏｕｐ  ｃｏｍｍｏｎ  ＰＤＣＣＨ送信の開始スロット位置を、プロトコルで特定する第１特定モジュールをさらに含む。
【０１８９】
選択可能に、ダウンリンクチャネル伝送装置は、ｇｒｏｕｐ  ｃｏｍｍｏｎ  ＰＤＣＣＨ送信の開始スロット位置をプロトコルで特定した後に、前記プロトコルで特定されるｇｒｏｕｐ  ｃｏｍｍｏｎ  ＰＤＣＣＨの送信周期と開始スロット位置に基づいて、送信スロットを特定する第２特定モジュールと、ｇｒｏｕｐ  ｃｏｍｍｏｎ  ＰＤＣＣＨを前記送信スロットで送信する送信モジュールとをさらに含む。
【０１９０】
選択可能に、前記指示モジュール６０１は、ｇｒｏｕｐ  ｃｏｍｍｏｎ  ＰＤＣＣＨの送信周期を、前記基地局のカバレッジ内のすべての端末にブロードキャストシグナリングで通知する第１通知ユニットを含む。
【０１９１】
選択可能に、ダウンリンクチャネル伝送装置は、ｇｒｏｕｐ  ｃｏｍｍｏｎ  ＰＤＣＣＨ送信の開始スロット位置を、プロトコルで特定する第１特定モジュール、または、ｇｒｏｕｐ  ｃｏｍｍｏｎ  ＰＤＣＣＨ送信の開始スロット位置を、前記基地局のカバレッジ内のすべての端末にブロードキャストシグナリングで通知する第１通知モジュールをさらに含む。
【０１９２】
選択可能に、ダウンリンクチャネル伝送装置は、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を前記基地局のカバレッジ内のすべての端末にブロードキャストシグナリングで通知した後に、前記ｇｒｏｕｐ  ｃｏｍｍｏｎ  ＰＤＣＣＨの送信周期と開始スロット位置に基づいて、送信スロットを特定する第３特定モジュールと、ｇｒｏｕｐ  ｃｏｍｍｏｎ  ＰＤＣＣＨを前記送信スロットで送信する送信モジュールとをさらに含む。
【０１９３】
選択可能に、前記指示モジュール６０１は、端末に対応するｇｒｏｕｐ  ｃｏｍｍｏｎ  ＰＤＣＣＨの送信周期を、対応する端末にハイレイヤシグナリングで通知する第２通知ユニットを含む。
【０１９４】
選択可能に、ダウンリンクチャネル伝送装置は、ｇｒｏｕｐ  ｃｏｍｍｏｎ  ＰＤＣＣＨ送信の開始スロット位置を、プロトコルで特定する第１特定モジュール、または、端末に対応するｇｒｏｕｐ  ｃｏｍｍｏｎ  ＰＤＣＣＨ送信のオフセット値を、対応する端末にハイレイヤシグナリングで通知する第２通知モジュールをさらに含む。
【０１９５】
選択可能に、ダウンリンクチャネル伝送装置は、ｇｒｏｕｐ  ｃｏｍｍｏｎ  ＰＤＣＣＨ送信の開始スロット位置をプロトコルで特定した後に、前記ｇｒｏｕｐ  ｃｏｍｍｏｎ  ＰＤＣＣＨの送信周期と開始スロット位置に基づいて送信スロットを特定し、または、端末に対応するｇｒｏｕｐ  ｃｏｍｍｏｎ  ＰＤＣＣＨ送信のオフセット値を、対応する端末にハイレイヤシグナリングで通知した後に、前記ｇｒｏｕｐ  ｃｏｍｍｏｎ  ＰＤＣＣＨの送信周期とオフセット値に基づいて送信スロットを特定する第４特定モジュールと、ｇｒｏｕｐ  ｃｏｍｍｏｎ  ＰＤＣＣＨを前記送信スロットで送信する送信モジュールとをさらに含む。
【０１９６】
選択可能に、前記送信モジュールは、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信する送信ユニットを含む。
【０１９７】
本開示の実施例のダウンリンクチャネル伝送装置は、ｇｒｏｕｐ  ｃｏｍｍｏｎ  ＰＤＣＣＨの送信周期を明示的または暗黙的な方式で指示することによって、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０１９８】
なお、当該ダウンリンクチャネル伝送装置は、上記ダウンリンクチャネル伝送方法に対応する装置であり、上記方法実施例におけるすべての実現方式がいずれも当該装置の実施例に適用し、同様の技術効果を奏することもできる。
【０１９９】
本開示の一部実施例において、図７のように、第１メモリ７２０と、第１プロセッサ７００と、第１トランシーバ７１０と、バスインタフェースと、第１メモリ７２０に記憶されて第１プロセッサ７００で実行可能なコンピュータプログラムを含む基地局をさらに提供する。前記第１プロセッサ７００は、第１メモリ７２０からプログラムを読み取ることによって、ｇｒｏｕｐ  ｃｏｍｍｏｎ  ＰＤＣＣＨの送信周期を明示的または暗黙的な方式で指示するプロセスを実行する。
【０２００】
ここで、図７において、バスアーキテクチャは、任意数の相互接続するバスとブリッジを含み、具体的に、第１プロセッサ７００をはじめとする１つ又は複数のプロセッサと第１メモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ７１０は、複数の部品であってもよく、即ち送信機と受信機を含み、伝送媒体でほかの各種類の装置と通信するユニットとして提供される。第１プロセッサ７００は、バスアーキテクチャと通常の処理を管理する。第１メモリ７２０は、第１プロセッサ７００による操作実行に使用されるデータを記憶できる。
【０２０１】
第１プロセッサ７００は、さらに、ｇｒｏｕｐ  ｃｏｍｍｏｎ  ＰＤＣＣＨの送信周期を、プロトコルで特定する。
【０２０２】
第１プロセッサ７００は、さらに、ｇｒｏｕｐ  ｃｏｍｍｏｎ  ＰＤＣＣＨ送信の開始スロット位置を、プロトコルで特定する。
【０２０３】
第１プロセッサ７００は、さらに、ｇｒｏｕｐ  ｃｏｍｍｏｎ  ＰＤＣＣＨ送信の開始スロット位置を、プロトコルで特定した後に、前記プロトコルで特定されるｇｒｏｕｐ  ｃｏｍｍｏｎ  ＰＤＣＣＨの送信周期と開始スロット位置に基づいて、送信スロットを特定し、ｇｒｏｕｐ  ｃｏｍｍｏｎ  ＰＤＣＣＨを前記送信スロットで送信する。
【０２０４】
第１プロセッサ７００は、さらに、ｇｒｏｕｐ  ｃｏｍｍｏｎ  ＰＤＣＣＨの送信周期を、前記基地局のカバレッジ内のすべての端末にブロードキャストシグナリングで通知する。
【０２０５】
第１プロセッサ７００は、さらに、ｇｒｏｕｐ  ｃｏｍｍｏｎ  ＰＤＣＣＨ送信の開始スロット位置を、プロトコルで特定し、または、ｇｒｏｕｐ  ｃｏｍｍｏｎ  ＰＤＣＣＨ送信の開始スロット位置を、前記基地局のカバレッジ内のすべての端末にブロードキャストシグナリングで通知する。
【０２０６】
第１プロセッサ７００は、さらに、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を前記基地局のカバレッジ内のすべての端末にブロードキャストシグナリングで通知した後に、前記ｇｒｏｕｐ  ｃｏｍｍｏｎ  ＰＤＣＣＨの送信周期と開始スロット位置に基づいて、送信スロットを特定し、ｇｒｏｕｐ  ｃｏｍｍｏｎ  ＰＤＣＣＨを前記送信スロットで送信する。
【０２０７】
第１プロセッサ７００は、さらに、端末に対応するｇｒｏｕｐ  ｃｏｍｍｏｎ  ＰＤＣＣＨの送信周期を、対応する端末にハイレイヤシグナリングで通知する。
【０２０８】
第１プロセッサ７００は、さらに、ｇｒｏｕｐ  ｃｏｍｍｏｎ  ＰＤＣＣＨ送信の開始スロット位置を、プロトコルで特定し、または、端末に対応するｇｒｏｕｐ  ｃｏｍｍｏｎ  ＰＤＣＣＨ送信のオフセット値を、対応する端末にハイレイヤシグナリングで通知する。
【０２０９】
第１プロセッサ７００は、さらに、ｇｒｏｕｐ  ｃｏｍｍｏｎ  ＰＤＣＣＨ送信の開始スロット位置を、プロトコルで特定した後に、前記ｇｒｏｕｐ  ｃｏｍｍｏｎ  ＰＤＣＣＨの送信周期と開始スロット位置に基づいて、送信スロットを特定し、ｇｒｏｕｐ  ｃｏｍｍｏｎ  ＰＤＣＣＨを前記送信スロットで送信する。または、端末に対応するｇｒｏｕｐ  ｃｏｍｍｏｎ  ＰＤＣＣＨ送信のオフセット値を、対応する端末にハイレイヤシグナリングで通知した後に、前記ｇｒｏｕｐ  ｃｏｍｍｏｎ  ＰＤＣＣＨの送信周期とオフセット値に基づいて、送信スロットを特定し、ｇｒｏｕｐ  ｃｏｍｍｏｎ  ＰＤＣＣＨを前記送信スロットで送信する。
【０２１０】
第１プロセッサ７００は、さらに、第１送信スロットがフルアップリンクスロットであれば、前記第１送信スロットの後であって前記第１送信スロットに最も近いダウンリンク送信スロットでｇｒｏｕｐ  ｃｏｍｍｏｎ  ＰＤＣＣＨを送信する。
【０２１１】
本開示の一部実施例において、コンピュータプログラムが記憶されている非揮発性のコンピュータ読み取り可能な記憶媒体をさらに提供し、当該プログラムがプロセッサによって実行されると、ｇｒｏｕｐ  ｃｏｍｍｏｎ  ＰＤＣＣＨの送信周期を明示的または暗黙的な方式で指示するプロセスが実現される。
【０２１２】
本開示の一部実施例において、図８のように、端末に応用されるダウンリンクチャネル受信装置をさらに提供する。前記装置は、ｇｒｏｕｐ  ｃｏｍｍｏｎ  ＰＤＣＣＨの送信周期を明示的または暗黙的な方式で特定する第５特定モジュール８０１を含む。
【０２１３】
本開示の実施例のダウンリンクチャネル受信装置によれば、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０２１４】
選択可能に、前記第５特定モジュール８０１は、ｇｒｏｕｐ  ｃｏｍｍｏｎ  ＰＤＣＣＨの送信周期を、プロトコルで特定する第２特定ユニットを含む。
【０２１５】
選択可能に、当該ダウンリンクチャネル受信装置は、ｇｒｏｕｐ  ｃｏｍｍｏｎ  ＰＤＣＣＨ送信の開始スロット位置を、プロトコルで特定する第６特定モジュールをさらに含む。
【０２１６】
選択可能に、当該ダウンリンクチャネル受信装置は、ｇｒｏｕｐ  ｃｏｍｍｏｎ  ＰＤＣＣＨ送信の開始スロット位置をプロトコルで特定した後に、前記プロトコルで特定されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定する第７特定モジュールと、ｇｒｏｕｐ  ｃｏｍｍｏｎ  ＰＤＣＣＨを前記受信スロットで検出して受信する受信モジュールとをさらに含む。
【０２１７】
選択可能に、前記第５特定モジュール８０１は、ｇｒｏｕｐ  ｃｏｍｍｏｎ  ＰＤＣＣＨの送信周期を、基地局から送信されるブロードキャストシグナリングで特定する第３特定ユニットを含む。
【０２１８】
選択可能に、当該ダウンリンクチャネル受信装置は、ｇｒｏｕｐ  ｃｏｍｍｏｎ  ＰＤＣＣＨ送信の開始スロット位置を、プロトコルで特定する第６特定モジュール、または、ｇｒｏｕｐ  ｃｏｍｍｏｎ  ＰＤＣＣＨ送信の開始スロット位置を、基地局から送信されるブロードキャストシグナリングで特定する第８特定モジュールをさらに含む。
【０２１９】
選択可能に、当該ダウンリンクチャネル受信装置は、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を、基地局から送信されるブロードキャストシグナリングで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定する第９特定モジュールと、ｇｒｏｕｐ  ｃｏｍｍｏｎ  ＰＤＣＣＨを前記受信スロットで検出して受信する受信モジュールとをさらに含む。
【０２２０】
選択可能に、前記第５特定モジュール８０１は、ｇｒｏｕｐ  ｃｏｍｍｏｎ  ＰＤＣＣＨの送信周期を、基地局から送信されるハイレイヤシグナリングで特定する第４特定ユニットを含む。
【０２２１】
選択可能に、当該ダウンリンクチャネル受信装置は、ｇｒｏｕｐ  ｃｏｍｍｏｎ  ＰＤＣＣＨ送信の開始スロット位置を、プロトコルで特定する第６特定モジュール、または、ｇｒｏｕｐ  ｃｏｍｍｏｎ  ＰＤＣＣＨ送信のオフセット値を、基地局から送信されるハイレイヤシグナリングで特定する第１０特定モジュールをさらに含む。
【０２２２】
選択可能に、当該ダウンリンクチャネル受信装置は、ｇｒｏｕｐ  ｃｏｍｍｏｎ  ＰＤＣＣＨ送信の開始スロット位置をプロトコルで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定し、または、ｇｒｏｕｐ  ｃｏｍｍｏｎ  ＰＤＣＣＨ送信のオフセット値を、基地局から送信されるハイレイヤシグナリングで特定した後に、前記ｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを特定する第１１特定モジュールと、ｇｒｏｕｐ  ｃｏｍｍｏｎ  ＰＤＣＣＨを前記受信スロットで検出して受信する受信モジュールとをさらに含む。
【０２２３】
選択可能に、前記受信モジュールは、第１受信スロットがフルアップリンクスロットであれば、前記第１受信スロットの後であって前記第１受信スロットに最も近いダウンリンク受信スロットでｇｒｏｕｐ  ｃｏｍｍｏｎ  ＰＤＣＣＨを検出して受信する受信ユニットを含む。
【０２２４】
選択可能に、当該ダウンリンクチャネル受信装置は、ｇｒｏｕｐ  ｃｏｍｍｏｎ  ＰＤＣＣＨの送信周期を特定した後に、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定する第１２特定モジュールをさらに含む。
【０２２５】
選択可能に、前記第１２特定モジュールは、受信した第１ｇｒｏｕｐ  ｃｏｍｍｏｎ  ＰＤＣＣＨの位置するスロットから１つの前記送信周期が経過した時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定し、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定する。
【０２２６】
本開示の実施例のダウンリンクチャネル受信装置によれば、端末は、ｇｒｏｕｐ  ｃｏｍｍｏｎ  ＰＤＣＣＨの送信周期を明示的または暗黙的な方式で確認できるため、基地局から送信されるｇｒｏｕｐ  ｃｏｍｍｏｎ  ＰＤＣＣＨを効果的に受信し、ネットワーク性能が向上する。端末群の関連情報をスケジューリングまたは通知するｇｒｏｕｐ  ｃｏｍｍｏｎ  ＰＤＣＣＨの伝送について明確な解決策がないため、端末がどのようにｇｒｏｕｐ  ｃｏｍｍｏｎ  ＰＤＣＣＨを受信したらいいかわからないという関連技術における問題を解決する。
【０２２７】
なお、当該ダウンリンクチャネル受信装置は、上記ダウンリンクチャネル受信方法に対応する装置であり、上記方法実施例におけるすべての実現方式がいずれも当該装置の実施例に適用し、同様の技術効果を奏することもできる。
【０２２８】
本開示の一部実施例において、図９のように、第２メモリ９２０と、第２プロセッサ９００と、第２トランシーバ９１０と、ユーザインタフェース９３０と、バスインタフェースと、第２メモリ９２０に記憶されて第２プロセッサ９００で実行可能なコンピュータプログラムを含む端末をさらに提供する。前記第２プロセッサ９００は、第２メモリ９２０からプログラムを読み取ることによって、ｇｒｏｕｐ  ｃｏｍｍｏｎ  ＰＤＣＣＨの送信周期を明示的または暗黙的な方式で特定するプロセスを実行する。
【０２２９】
ここで、図９において、バスアーキテクチャは、任意数の相互接続するバスとブリッジを含み、具体的に、第２プロセッサ９００をはじめとする１つ又は複数のプロセッサと第２メモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ９１０は、複数の部品であってもよく、即ち送信機と受信機を含み、伝送媒体でほかの各種類の装置と通信するユニットとして提供される。ユーザ端末によっては、ユーザインタフェース９３０は、内部接続や外部接続する機器のインタフェースであってもよい。接続する機器は、キーパッド、ディスプレイ、スピーカ、マイクロフォン、ジョイスティックなどを含むが、それらに限られない。
【０２３０】
第２プロセッサ９００は、バスアーキテクチャと通常の処理を管理する。第２メモリ９２０は、第２プロセッサ９００による操作実行に使用されるデータを記憶できる。
【０２３１】
第２プロセッサ９００は、さらに、ｇｒｏｕｐ  ｃｏｍｍｏｎ  ＰＤＣＣＨの送信周期を、プロトコルで特定する。
【０２３２】
第２プロセッサ９００は、さらに、ｇｒｏｕｐ  ｃｏｍｍｏｎ  ＰＤＣＣＨ送信の開始スロット位置を、プロトコルで特定する。
【０２３３】
第２プロセッサ９００は、さらに、ｇｒｏｕｐ  ｃｏｍｍｏｎ  ＰＤＣＣＨ送信の開始スロット位置を、プロトコルで特定した後に、前記プロトコルで特定されるｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定し、ｇｒｏｕｐ  ｃｏｍｍｏｎ  ＰＤＣＣＨを前記受信スロットで検出して受信する。
【０２３４】
第２プロセッサ９００は、さらに、ｇｒｏｕｐ  ｃｏｍｍｏｎ  ＰＤＣＣＨの送信周期を、基地局から送信されるブロードキャストシグナリングで特定する。
【０２３５】
第２プロセッサ９００は、さらに、ｇｒｏｕｐ  ｃｏｍｍｏｎ  ＰＤＣＣＨ送信の開始スロット位置を、プロトコルで特定し、または、ｇｒｏｕｐ  ｃｏｍｍｏｎ  ＰＤＣＣＨ送信の開始スロット位置を、基地局から送信されるブロードキャストシグナリングで特定する。
【０２３６】
第２プロセッサ９００は、さらに、ｇｒｏｕｐ  ｃｏｍｍｏｎ  ＰＤＣＣＨ送信の開始スロット位置をプロトコルで特定した後に、または、ｇｒｏｕｐ  ｃｏｍｍｏｎ  ＰＤＣＣＨ送信の開始スロット位置を、基地局から送信されるブロードキャストシグナリングで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定し、ｇｒｏｕｐ  ｃｏｍｍｏｎ  ＰＤＣＣＨを前記受信スロットで検出して受信する。
【０２３７】
第２プロセッサ９００は、さらに、ｇｒｏｕｐ  ｃｏｍｍｏｎ  ＰＤＣＣＨの送信周期を、基地局から送信されるハイレイヤシグナリングで特定する。
【０２３８】
第２プロセッサ９００は、さらに、ｇｒｏｕｐ  ｃｏｍｍｏｎ  ＰＤＣＣＨ送信の開始スロット位置を、プロトコルで特定し、または、ｇｒｏｕｐ  ｃｏｍｍｏｎ  ＰＤＣＣＨ送信のオフセット値を、基地局から送信されるハイレイヤシグナリングで特定する。
【０２３９】
第２プロセッサ９００は、さらに、ｇｒｏｕｐ  ｃｏｍｍｏｎ  ＰＤＣＣＨ送信の開始スロット位置を、プロトコルで特定した後に、前記ｇｒｏｕｐ  ｃｏｍｍｏｎ  ＰＤＣＣＨの送信周期と開始スロット位置に基づいて、ｇｒｏｕｐ  ｃｏｍｍｏｎ  ＰＤＣＣＨの受信スロットを特定し、ｇｒｏｕｐ  ｃｏｍｍｏｎ  ＰＤＣＣＨを前記受信スロットで検出して受信する。または、ｇｒｏｕｐ  ｃｏｍｍｏｎ  ＰＤＣＣＨ送信のオフセット値を、基地局から送信されるハイレイヤシグナリングで特定した後に、前記ｇｒｏｕｐ  ｃｏｍｍｏｎ  ＰＤＣＣＨの送信周期とオフセット値に基づいて、ｇｒｏｕｐ  ｃｏｍｍｏｎ  ＰＤＣＣＨの受信スロットを特定し、ｇｒｏｕｐ  ｃｏｍｍｏｎ  ＰＤＣＣＨを前記受信スロットで検出して受信する。
【０２４０】
第２プロセッサ９００は、さらに、第１受信スロットがフルアップリンクスロットであれば、前記第１受信スロットの後であって前記第１受信スロットに最も近いダウンリンク受信スロットでｇｒｏｕｐ  ｃｏｍｍｏｎ  ＰＤＣＣＨを検出して受信する。
【０２４１】
第２プロセッサ９００は、さらに、ｇｒｏｕｐ  ｃｏｍｍｏｎ  ＰＤＣＣＨの送信周期を特定した後に、ｇｒｏｕｐ  ｃｏｍｍｏｎ  ＰＤＣＣＨの送信周期に基づいて、ｇｒｏｕｐ  ｃｏｍｍｏｎ  ＰＤＣＣＨのデータ発効時間を特定する。
【０２４２】
第２プロセッサ９００は、さらに、受信した第１ｇｒｏｕｐ  ｃｏｍｍｏｎ  ＰＤＣＣＨの位置するスロットから１つの前記送信周期が経過するまでの時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、次に第２ｇｒｏｕｐ  ｃｏｍｍｏｎ  ＰＤＣＣＨを受信するまでに経過する時間を、前記第１ｇｒｏｕｐ  ｃｏｍｍｏｎ  ＰＤＣＣＨのデータ発効時間として特定すること、または、受信した第１ｇｒｏｕｐ  ｃｏｍｍｏｎ  ＰＤＣＣＨの位置するスロットから、ｇｒｏｕｐ  ｃｏｍｍｏｎ  ＰＤＣＣＨ変更指令を基地局から受信するまでに経過する時間を、前記第１ｇｒｏｕｐ  ｃｏｍｍｏｎ  ＰＤＣＣＨのデータ発効時間として特定する。
【０２４３】
本開示の一部実施例において、コンピュータプログラムが記憶されている非揮発性のコンピュータ読み取り可能な記憶媒体をさらに提供し、当該プログラムがプロセッサによって実行されると、ｇｒｏｕｐ  ｃｏｍｍｏｎ  ＰＤＣＣＨの送信周期を明示的または暗黙的な方式で特定するプロセスが実現される。
【０２４４】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対し、いっさい限定を構成しないと理解すべきである。
【０２４５】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
0006956202.tif 000002
【図２】
0006956202.tif 000003
【図３】
0006956202.tif 000004
【図４】
0006956202.tif 000005
【図５】
0006956202.tif 000006
【図６】
0006956202.tif 000007
【図７】
0006956202.tif 000008
【図８】
0006956202.tif 000009
【図９】
0006956202.tif 000010